(57)【特許請求の範囲】
【請求項１】
１以上の抵抗器を含む抵抗器群を複数設けた抵抗器群セットを１以上有し、試験対象電源からの電力供給を受ける、第１負荷試験領域と、
複数のコイルを含むコイルグループを１以上有し、前記試験対象電源からの電力供給を受ける、第２負荷試験領域とを備え、
直列での接続と並列での接続が切り替え可能な状態で、前記複数のコイルが接続される、負荷試験装置。
【請求項２】
前記第２負荷試験領域は、前記複数のコイルの中心を通る１つの鉄心を有する、請求項１に記載の負荷試験装置。
【請求項３】
前記試験対象電源は、三相交流発電機であり、
前記第２負荷試験領域は、前記１以上のコイルグループとして、前記試験対象電源のＲ相端子からの電力供給を受ける第１コイルグループと、前記試験対象電源のＳ相端子からの電力供給を受ける第２コイルグループと、前記試験対象電源のＴ相端子からの電力供給を受ける第３コイルグループを有し、
前記第２負荷試験領域は、前記鉄心として、前記第１コイルグループの前記複数のコイルの中心を通る第１鉄心と、前記第２コイルグループの前記複数のコイルの中心を通る第２鉄心と、前記第３コイルグループの前記複数のコイルの中心を通る第３鉄心を有し、
前記第１鉄心と前記第２鉄心と前記第３鉄心は、接続棒を介して接続され、
前記第１鉄心と前記第２鉄心と前記第３鉄心と前記接続棒の少なくとも１つは、碍子を介して、前記第２負荷試験領域の筐体に保持される、請求項２に記載の負荷試験装置。
【請求項４】
前記１以上のコイルグループの少なくとも１つは、前記複数のコイルとして、少なくとも第１のコイルと第２のコイルを有し、
前記第１のコイルの一方の端部と、前記第１のコイルの他方の端部は、前記第１のコイルの中心軸が延びる方向から見て、前記第１のコイルの中心軸を挟む位置関係にあり、
前記第２のコイルの一方の端部と、前記第２のコイルの他方の端部は、前記第２のコイルの中心軸が延びる方向から見て、前記第２のコイルの中心軸を挟む位置関係にあり、
前記第１のコイルの他方の端部がある側と、前記第２のコイルの一方の端部がある側は、前記第１のコイルの中心軸が延びる方向で対向し、
前記第１のコイルの他方の端部と、前記第２のコイルの一方の端部とは、前記第１のコイルの中心軸が延びる方向で対向する、請求項１に記載の負荷試験装置。
【請求項５】
前記１以上のコイルグループの少なくとも１つは、前記複数のコイルとして、少なくとも第１のコイルと第２のコイルと第３のコイルを有し、
前記第２負荷試験領域は、前記第１のコイルと前記第２のコイルと前記第３のコイルの中心を通る１つの鉄心を有し、
前記第１のコイルの一方の端部と、前記第１のコイルの他方の端部は、前記鉄心が延びる方向から見て、前記鉄心が通る領域を挟む位置関係にあり、
前記第２のコイルの一方の端部と、前記第２のコイルの他方の端部は、前記鉄心が延びる方向から見て、前記鉄心が通る領域を挟む位置関係にあり、
前記第３のコイルの一方の端部と、前記第３のコイルの他方の端部は、前記鉄心が延びる方向から見て、前記鉄心が通る領域を挟む位置関係にあり、
前記第１のコイルの他方の端部がある側と、前記第２のコイルの一方の端部がある側は、前記鉄心が延びる方向で対向し、
前記第２のコイルの他方の端部がある側と、前記第３のコイルの一方の端部がある側は、前記鉄心が延びる方向で対向し、
前記第１のコイルの他方の端部と、前記第２のコイルの一方の端部とは、前記鉄心が延びる方向で対向し、
前記第２のコイルの他方の端部と、前記第３のコイルの一方の端部とは、前記鉄心が延びる方向で対向する、請求項１に記載の負荷試験装置。
【請求項６】
前記１以上のコイルグループの少なくとも１つは、前記複数のコイルとして、少なくとも第１のコイルと第２のコイルと第３のコイルを有し、
前記第２負荷試験領域は、第１のリレーと、第２のリレーと、第３のリレーと、第４のリレーと、第５のリレーと第６のリレーと第７のリレーとを有し、
前記第１のリレーの一方の接点は、前記第１のコイルの一方の端部と接続され、
前記第１のリレーの他方の接点は、前記第２のコイルの一方の端部と接続され、
前記第２のリレーの一方の接点は、前記第１のコイルの他方の端部と接続され、
前記第２のリレーの他方の接点は、前記第２のコイルの一方の端部と接続され、
前記第３のリレーの一方の接点は、前記第１のコイルの他方の端部と接続され、
前記第４のリレーの一方の接点は、前記第２のコイルの他方の端部と接続され、
前記第４のリレーの他方の接点は、前記第３のコイルの一方の端部と接続され、
前記第５のリレーの一方の接点は、前記第２のコイルの一方の端部と接続され、
前記第５のリレーの他方の接点は、前記第３のコイルの一方の端部と接続され、
前記第６のリレーの一方の接点は、前記第２のコイルの他方の端部と接続され、
前記第７のリレーの一方の接点は、前記第３のコイルの他方の端部と接続される、請求項１に記載の負荷試験装置。
【請求項７】
前記第１負荷試験領域と、前記第２負荷試験領域は、別体で構成され、
前記１以上の抵抗器群セットと、前記１以上のコイルグループは、並列で前記試験対象電源に接続され、
前記第１負荷試験領域は、前記試験対象電源からの電力の供給を受ける第１の端子と、前記試験対象電源からの電力を前記第２負荷試験領域に供給する第２の端子を有し、
前記第２負荷試験領域は、前記第１の端子と前記第２の端子を介して、前記試験対象電源からの電力の供給を受ける第３の端子を有する、請求項１に記載の負荷試験装置。
【請求項８】
前記第１負荷試験領域に設けられた操作部を介して設定された、前記試験対象電源の種類、前記複数の抵抗器群の接続形式、負荷量の少なくとも１つに基づいて、前記複数のコイルの接続形式を制御するための制御信号線が、前記第１負荷試験領域と前記第２負荷試験領域の間に設けられる、請求項７に記載の負荷試験装置。
【請求項９】
前記第２負荷試験領域の筐体には、不使用時吸気開口と、不使用時排気開口が設けられ、
前記第２負荷試験領域は、光を電気に変換する発電装置を含む発電部と、前記１以上のコイルグループの不使用時に、前記筐体の内部の情報と前記筐体の周囲の情報と時間情報の少なくとも一つに基づいて、前記不使用時吸気開口の開閉を行う吸気部と、前記不使用時排気開口の開閉を行う排気部と、前記吸気部を介して前記筐体の外部からの空気を取り込み且つ前記排気部を介して取り込んだ空気を排出させる送風部を有し、
前記送風部は、前記発電部で得られた電力で駆動し、
前記不使用時吸気開口は、前記第１負荷試験領域における、前記１以上の抵抗器群を冷却する冷却部の吸気のための開口よりも小さく、
前記不使用時排気開口は、前記第１負荷試験領域における、前記冷却部からの空気の排気のための開口よりも小さい、請求項７に記載の負荷試験装置。
【発明の詳細な説明】
【技術分野】
【０００１】
本発明は、負荷試験装置に関する。
【背景技術】
【０００２】
従来、特許文献１のように、発電機の負荷試験を行う負荷試験装置が提案されている。
【先行技術文献】
【特許文献】
【０００３】
【特許文献１】特開平０９−１５３０７号公報
【発明の概要】
【発明が解決しようとする課題】
【０００４】
しかしながら、力率の調整は考慮されていない。【０００５】
したがって本発明の目的は、複数種類の試験対象電源に対応して、力率の調整が容易に行える負荷試験装置を提供することである。
【課題を解決するための手段】
【０００６】
本発明に係る負荷試験装置は、１以上の抵抗器を含む抵抗器群を複数設けた抵抗器群セットを１以上有し、試験対象電源からの電力供給を受ける、第１負荷試験領域と、複数のコイルを含むコイルグループを１以上有し、試験対象電源からの電力供給を受ける、第２負荷試験領域とを備える。
直列での接続と並列での接続が切り替え可能な状態で、複数のコイルが接続される。【０００７】
接続形式を直列と並列で切り替えることにより、複数のコイルの合成インダクタンスを変えることができ、高圧の発電機、低圧の発電機など、様々な試験対象電源に対応して、力率の調整が容易に行える負荷試験装置を実現することが可能になる。【０００８】
好ましくは、第２負荷試験領域は、複数のコイルの中心を通る１つの鉄心を有する。【０００９】
さらに好ましくは、試験対象電源は、三相交流発電機である。
第２負荷試験領域は、１以上のコイルグループとして、試験対象電源のＲ相端子からの電力供給を受ける第１コイルグループと、試験対象電源のＳ相端子からの電力供給を受ける第２コイルグループと、試験対象電源のＴ相端子からの電力供給を受ける第３コイルグループを有する。
第２負荷試験領域は、鉄心として、第１コイルグループの複数のコイルの中心を通る第１鉄心と、第２コイルグループの複数のコイルの中心を通る第２鉄心と、第３コイルグループの複数のコイルの中心を通る第３鉄心を有する。
第１鉄心と第２鉄心と第３鉄心は、接続棒を介して接続される。
第１鉄心と第２鉄心と第３鉄心と接続棒の少なくとも１つは、碍子を介して、第２負荷試験領域の筐体に保持される。【００１０】
コイルを鉄心が保持し、碍子を介して、鉄心若しくは接続棒を、第２負荷試験領域の筐体が保持する。これにより、電気的な絶縁を維持した状態で安定的にコイルを保持することが可能になる。【００１１】
また、好ましくは、１以上のコイルグループの少なくとも１つは、複数のコイルとして、少なくとも第１のコイルと第２のコイルを有する。
第１のコイルの一方の端部と、第１のコイルの他方の端部は、第１のコイルの中心軸が延びる方向から見て、第１のコイルの中心軸を挟む位置関係にある。
第２のコイルの一方の端部と、第２のコイルの他方の端部は、第２のコイルの中心軸が延びる方向から見て、第２のコイルの中心軸を挟む位置関係にある。
第１のコイルの他方の端部がある側と、第２のコイルの一方の端部がある側は、第１のコイルの中心軸が延びる方向で対向する。
第１のコイルの他方の端部と、第２のコイルの一方の端部とは、第１のコイルの中心軸が延びる方向で対向する。【００１２】
コイルの周囲のスペースに効率良く、スイッチング装置などを配置しやすくなる。【００１３】
また、好ましくは、１以上のコイルグループの少なくとも１つは、複数のコイルとして、少なくとも第１のコイルと第２のコイルと第３のコイルを有する。
第２負荷試験領域は、第１のコイルと第２のコイルと第３のコイルの中心を通る１つの鉄心を有する。
第１のコイルの一方の端部と、第１のコイルの他方の端部は、鉄心が延びる方向から見て、鉄心が通る領域を挟む位置関係にある。
第２のコイルの一方の端部と、第２のコイルの他方の端部は、鉄心が延びる方向から見て、鉄心が通る領域を挟む位置関係にある。
第３のコイルの一方の端部と、第３のコイルの他方の端部は、鉄心が延びる方向から見て、鉄心が通る領域を挟む位置関係にある。
第１のコイルの他方の端部がある側と、第２のコイルの一方の端部がある側は、鉄心が延びる方向で対向する。
第２のコイルの他方の端部がある側と、第３のコイルの一方の端部がある側は、鉄心が延びる方向で対向する。
第１のコイルの他方の端部と、第２のコイルの一方の端部とは、鉄心が延びる方向で対向する。
第２のコイルの他方の端部と、第３のコイルの一方の端部とは、鉄心が延びる方向で対向する。【００１４】
また、好ましくは、１以上のコイルグループの少なくとも１つは、複数のコイルとして、少なくとも第１のコイルと第２のコイルと第３のコイルを有する。
第２負荷試験領域は、第１のリレーと、第２のリレーと、第３のリレーと、第４のリレーと、第５のリレーと第６のリレーと第７のリレーとを有する。
第１のリレーの一方の接点は、第１のコイルの一方の端部と接続される。
第１のリレーの他方の接点は、第２のコイルの一方の端部と接続される。
第２のリレーの一方の接点は、第１のコイルの他方の端部と接続される。
第２のリレーの他方の接点は、第２のコイルの一方の端部と接続される。
第３のリレーの一方の接点は、第１のコイルの他方の端部と接続される。
第４のリレーの一方の接点は、第２のコイルの他方の端部と接続される。
第４のリレーの他方の接点は、第３のコイルの一方の端部と接続される。
第５のリレーの一方の接点は、第２のコイルの一方の端部と接続される。
第５のリレーの他方の接点は、第３のコイルの一方の端部と接続される。
第６のリレーの一方の接点は、第２のコイルの他方の端部と接続される。
第７のリレーの一方の接点は、第３のコイルの他方の端部と接続される。【００１５】
また、好ましくは、第１負荷試験領域と、第２負荷試験領域は、別体で構成される。
１以上の抵抗器群セットと、１以上のコイルグループは、並列で試験対象電源に接続される。
第１負荷試験領域は、試験対象電源からの電力の供給を受ける第１の端子と、試験対象電源からの電力を第２負荷試験領域に供給する第２の端子を有する。
第２負荷試験領域は、第１の端子と第２の端子を介して、試験対象電源からの電力の供給を受ける第３の端子を有する。【００１６】
力率の調整が不要な場合は、第２負荷試験領域を用いずに、第１負荷試験領域だけを用いて負荷試験を行うことができる。また、第１負荷試験領域に相当する既存の負荷試験装置に、第２負荷試験領域を加えることで、様々な試験対象電源に対応して、力率の調整が容易に行える負荷試験装置を実現することが可能になる。【００１７】
さらに好ましくは、第１負荷試験領域に設けられた操作部を介して設定された、試験対象電源の種類、複数の抵抗器群の接続形式、負荷量の少なくとも１つに基づいて、複数のコイルの接続形式を制御するための制御信号線が、第１負荷試験領域と第２負荷試験領域の間に設けられる。【００１８】
第１負荷試験領域の操作部で設定された内容（試験対象電源の種類など）に基づいて、第２負荷試験領域のコイルの接続形式などを制御することが可能になる。【００１９】
また、好ましくは、第２負荷試験領域の筐体には、不使用時吸気開口と、不使用時排気開口が設けられる。
第２負荷試験領域は、光を電気に変換する発電装置を含む発電部と、１以上のコイルグループの不使用時に、筐体の内部の情報と筐体の周囲の情報と時間情報の少なくとも一つに基づいて、不使用時吸気開口の開閉を行う吸気部と、不使用時排気開口の開閉を行う排気部と、吸気部を介して筐体の外部からの空気を取り込み且つ排気部を介して取り込んだ空気を排出させる送風部を有する。
送風部は、発電部で得られた電力で駆動する。
不使用時吸気開口は、第１負荷試験領域における、１以上の抵抗器群を冷却する冷却部の吸気のための開口よりも小さい。
不使用時排気開口は、第１負荷試験領域における、冷却部からの空気の排気のための開口よりも小さい。【００２０】
負荷試験部などの不使用時は、第２負荷試験領域の筐体がほぼ密閉された状態で維持される。このため、筐体の内部の温度や湿度が上昇し、内部の機器を劣化させるおそれがある。また、内部の機器に埃が付着するおそれがある。
負荷試験部などの不使用時に、筐体の外部から空気を取り入れて、排出させる。すなわち、筐体の内部の換気を行うことが可能になる。これにより、筐体の内部の温度及び湿度をほぼ一定に保つことが可能になる。そして、筐体の内部の機器の劣化を抑制したり、埃の付着を抑制したりすることが可能になる。
また、送風部が、発電部で得られた電力で駆動する。このため、負荷試験部などの不使用時で、負荷試験部などに電力が供給されない状態であっても、送風部などを動作させることが出来る。【００２１】
既存の負荷試験部の筐体に吸気用及び排気用の小さい開口（不使用時吸気開口など）を設け、空気循環部を付加するだけで、不使用時に換気が可能な負荷試験装置を実現することが可能になる。
【発明の効果】
【００２２】
以上のように本発明によれば、複数種類の試験対象電源に対応して、力率の調整が容易に行える負荷試験装置を提供することができる。
【図面の簡単な説明】
【００２３】
【図１】本実施形態における負荷試験装置、試験対象電源、負荷試験装置駆動用電源の斜視図である。
【図２】第１負荷試験領域の簡単な構成を示す模式図である。
【図３】第１負荷試験領域の詳細な構成を示す模式図である。
【図４】第２負荷試験領域の簡単な構成を示す模式図である。
【図５】第２負荷試験領域の詳細な構成を示す模式図である。
【図６】使用時の第１負荷試験領域を後方からみた斜視図である。
【図７】不使用時の第１負荷試験領域を後方から見た斜視図である。
【図８】不使用時の第１負荷試験領域を前方から見た斜視図である。
【図９】不使用時の第２負荷試験領域を後方から見た斜視図である。
【図１０】不使用時の第２負荷試験領域を前方から見た斜視図である。
【図１１】高圧の試験対象電源の負荷試験を行う場合の、第１抵抗器群セット〜第３抵抗器群セット、第１コイルグループ〜第３コイルグループのリレーのオンオフ状態を示す模式図である。
【図１２】高圧の試験対象電源の負荷試験を行う場合の、第１コイルグループ〜第３コイルグループのリレーのオンオフ状態を示す模式図である。
【図１３】コイルと鉄心と接続棒の分解図である。
【図１４】低圧の試験対象電源の負荷試験を低負荷で行う場合の、第１抵抗器群セット〜第３抵抗器群セット、第１コイルグループ〜第３コイルグループのリレーのオンオフ状態を示す模式図である。
【図１５】低圧の試験対象電源の負荷試験を中程度の負荷で行う場合の、第１抵抗器群セット〜第３抵抗器群セット、第１コイルグループ〜第３コイルグループのリレーのオンオフ状態を示す模式図である。
【図１６】低圧の試験対象電源の負荷試験を高負荷で行う場合の、第１抵抗器群セット〜第３抵抗器群セット、第１コイルグループ〜第３コイルグループのリレーのオンオフ状態を示す模式図である。
【図１７】低圧の試験対象電源の負荷試験を高負荷で行う場合であって、図１６の場合よりも使用するコイルを減らした状態の、第１抵抗器群セット〜第３抵抗器群セット、第１コイルグループ〜第３コイルグループのリレーのオンオフ状態を示す模式図である。
【図１８】低圧の試験対象電源の負荷試験を高負荷で行う場合であって、図１６の場合よりも使用するコイルを減らし、当該使用するコイルを直列に接続した状態の、第１抵抗器群セット〜第３抵抗器群セット、第１コイルグループ〜第３コイルグループのリレーのオンオフ状態を示す模式図である。
【図１９】吸気部と排気部が１つだけ設けられた負荷試験部を含む装置の後方から見た斜視図である。
【発明を実施するための形態】
【００２４】
以下、本実施形態について、図を用いて説明する。
なお、実施形態は、以下の実施形態に限られるものではない。また、一つの実施形態に記載した内容は、原則として他の実施形態にも同様に適用される。また、各実施形態及び各変形例は、適宜組み合わせることが出来る。
【００２５】
方向を説明するために、水平方向の一方をｘ方向（左右方向、第１方向）、ｘ方向に垂直な水平方向をｙ方向（前後方向、第２方向）、ｘ方向とｙ方向に垂直な鉛直方向をｚ方向（上下方向、第３方向）として説明する。
図６〜図１０、図１９において、ｘｙｚ軸のそれぞれの矢印が指し示す方向をそれぞれ左方向、前方向、上方向と定義する。
【００２６】
（使用時と不使用時の定義）
また、後述する負荷試験部の使用時は、負荷試験部を使った負荷試験を行う期間と定義し、負荷試験部の不使用時は、負荷試験部を使った負荷試験を行わない期間と定義する。
【００２７】
（特許請求の範囲の用語と実施形態の用語の対応関係）
本実施形態における第１１コイル６１ａ１、第２１コイル６１ｂ１、第３１コイル６１ｃ１は、特許請求の範囲の記載における第１のコイルに相当する。
本実施形態における第１２コイル６１ａ２、第２２コイル６１ｂ２、第３２コイル６１ｃ２は、特許請求の範囲の記載における第２のコイルに相当する。
本実施形態における第１３コイル６１ａ３、第２３コイル６１ｂ３、第３３コイル６１ｃ３は、特許請求の範囲の記載における第３のコイルに相当する。
本実施形態における第４１リレーＲ４１、第５１リレーＲ５１、第６１リレーＲ６１は、特許請求の範囲の記載における第１のリレーに相当する。
本実施形態における第４２リレーＲ４２、第５２リレーＲ５２、第６２リレーＲ６２は、特許請求の範囲の記載における第２のリレーに相当する。
本実施形態における第４３リレーＲ４３、第５３リレーＲ５３、第６３リレーＲ６３は、特許請求の範囲の記載における第３のリレーに相当する。
本実施形態における第４４リレーＲ４４、第５４リレーＲ５４、第６４リレーＲ６４は、特許請求の範囲の記載における第４のリレーに相当する。
本実施形態における第４５リレーＲ４５、第５５リレーＲ５５、第６５リレーＲ６５は、特許請求の範囲の記載における第５のリレーに相当する。
本実施形態における第４６リレーＲ４６、第５６リレーＲ５６、第６６リレーＲ６６は、特許請求の範囲の記載における第６のリレーに相当する。
本実施形態における第４７リレーＲ４７、第５７リレーＲ５７、第６７リレーＲ６７は、特許請求の範囲の記載における第７のリレーに相当する。
本実施形態における第１Ｕ相端子Ｕ１、第１Ｖ相端子Ｖ１、第１Ｗ相端子Ｗ１は、特許請求の範囲の記載における第１の端子に相当する。
本実施形態における第２Ｕ相端子Ｕ２、第２Ｖ相端子Ｖ２、第２Ｗ相端子Ｗ２は、特許請求の範囲の記載における第２の端子に相当する。
本実施形態における第３Ｕ相端子Ｕ３、第３Ｖ相端子Ｖ３、第３Ｗ相端子Ｗ３は、特許請求の範囲の記載における第３の端子に相当する。
【００２８】
（負荷試験装置１）
本実施形態における乾式の負荷試験装置１は、第１負荷試験領域１ａと第２負荷試験領域１ｂを備える（図１参照）。
第１負荷試験領域１ａは、抵抗部３０、冷却部５０、第１負荷試験制御部７０ａ、抵抗部側リレー部８１、第１空気循環部９０ａを有する（図２、図３参照）。
第１負荷試験領域１ａの筐体は、第１筐体２ａ、第２筐体２ｂ、第３筐体２ｃ、第４筐体２ｄを有する。
第１筐体２ａ、第２筐体２ｂ、第３筐体２ｃ、第４筐体２ｄは、ｘ方向に並べられる。
第２負荷試験領域１ｂは、リアクトル部６０、リアクトル側リレー部８２、第２空気循環部９０ｂを有する（図４、図５参照）。
第２負荷試験領域１ｂの筐体は、第５筐体２ｅ、第６筐体２ｆ、第７筐体２ｇ、第８筐体２ｈを有する。
第５筐体２ｅ、第６筐体２ｆ、第７筐体２ｇ、第８筐体２ｈは、ｘ方向に並べられる。
【００２９】
抵抗部３０は、第１抵抗部３０ａ、第２抵抗部３０ｂ、第３抵抗部３０ｃを有する。
冷却部５０は、第１冷却部５０ａ、第２冷却部５０ｂ、第３冷却部５０ｃを有する。
リアクトル部６０は、第１リアクトル６０ａ、第２リアクトル６０ｂ、第３リアクトル６０ｃを有する。
第１負荷試験制御部７０ａは、第１操作部７１、第１電源端子部７３、第１制御端子部７５、第１電力供給制御部７７を有する。
第２負荷試験制御部７０ｂは、第２操作部７２、第２電源端子部７４、第２制御端子部７６、第２電力供給制御部７８を有する。
抵抗部側リレー部８１は、第１抵抗部側リレー部８１ａ、第２抵抗部側リレー部８１ｂ、第３抵抗部側リレー部８１ｃを有する。
リアクトル側リレー部８２は、第１リアクトル側リレー部８２ａ、第２リアクトル側リレー部８２ｂ、第３リアクトル側リレー部８２ｃを有する。
第１空気循環部９０ａは、第１発電部９１ａ〜第４発電部９１ｄ、第１制御部９３ａ〜第４制御部９３ｄ、第１吸気部９５ａ〜第４吸気部９５ｄ、第１送風部９６ａ〜第４送風部９６ｄ、第１排気部９７ａ〜第４排気部９７ｄを有する。
第２空気循環部９０ｂは、第５発電部９１ｅ〜第８発電部９１ｈ、第５制御部９３ｅ〜第８制御部９３ｈ、第５吸気部９５ｅ〜第８吸気部９５ｈ、第５送風部９６ｅ〜第８送風部９６ｈ、第５排気部９７ｅ〜第８排気部９７ｈを有する。
【００３０】
なお、第１抵抗部３０ａと第１冷却部５０ａと第１リアクトル６０ａを第１負荷試験部とし、第２抵抗部３０ｂと第１冷却部５０ｂと第２リアクトル６０ｂを第２負荷試験部とし、第３抵抗部３０ｃと第３冷却部５０ｃと第３リアクトル６０ｃを第３負荷試験部として説明する。
【００３１】
（第１筐体２ａ）
第１筐体２ａは、第１負荷試験部の第１負荷試験領域１ａにあるもの（第１抵抗部３０ａ、第１冷却部５０ａ）、第１発電部９１ａ、第１制御部９３ａ、第１吸気部９５ａ、第１送風部９６ａ、第１排気部９７ａを含む（図６〜図８参照）。
【００３２】
第１筐体２ａの上面で第１抵抗部３０ａとｚ方向で対向する領域は、負荷試験の冷却風の排気用に開口する（第１上面開口２ａ１）。
第１筐体２ａの前面と背面で第１冷却部５０ａとｙ方向で対向する領域は、負荷試験の冷却風の吸気用に開口する（第１側面開口２ａ２）。
【００３３】
第１筐体２ａの背面でｚ方向下方、すなわち第１側面開口２ａ２の近傍には、第１負荷試験部の第１負荷試験領域１ａにあるものの不使用時の空気の吸気用に開口する（第１不使用時吸気開口２ａ３）。
第１不使用時吸気開口２ａ３は、第１側面開口２ａ２よりも小さい。
第１筐体２ａの前面でｚ方向上方には、第１負荷試験部の第１負荷試験領域１ａにあるものの不使用時の空気の排気用に開口する（第１不使用時排気開口２ａ４）。
第１不使用時排気開口２ａ４は、第１筐体２ａの側面であって、第１不使用時吸気開口２ａ３がある側とｙ方向で反対側の面に設けられる。
第１不使用時排気開口２ａ４は、第１不使用時吸気開口２ａ３よりも高い位置に設けられる。
第１不使用時排気開口２ａ４は、第１上面開口２ａ１よりも小さい。
【００３４】
（第２筐体２ｂ）
第２筐体２ｂは、第２負荷試験部（第２抵抗部３０ｂ、第２冷却部５０ｂ）、第２発電部９１ｂ、第２制御部９３ｂ、第２吸気部９５ｂ、第２送風部９６ｂ、第２排気部９７ｂを含む。
【００３５】
第２筐体２ｂの上面で第２抵抗部３０ｂとｚ方向で対向する領域は、負荷試験の冷却風の排気用に開口する（第２上面開口２ｂ１）。
第２筐体２ｂの前面と背面で第２冷却部５０ｂとｙ方向で対向する領域は、負荷試験の冷却風の吸気用に開口する（第２側面開口２ｂ２）。
【００３６】
第２筐体２ｂの背面でｚ方向下方、すなわち第２側面開口２ｂ２の近傍には、第２負荷試験部の第１負荷試験領域１ａにあるものの不使用時の空気の吸気用に開口する（第２不使用時吸気開口２ｂ３）。
第２不使用時吸気開口２ｂ３は、第２側面開口２ｂ２よりも小さい。
第２筐体２ｂの前面でｚ方向上方には、第２負荷試験部の第１負荷試験領域１ａにあるものの不使用時の空気の排気用に開口する（第２不使用時排気開口２ｂ４）。
第２不使用時排気開口２ｂ４は、第２筐体２ｂの側面であって、第２不使用時吸気開口２ｂ３がある側とｙ方向で反対側の面に設けられる。
第２不使用時排気開口２ｂ４は、第２不使用時吸気開口２ｂ３よりも高い位置に設けられる。
第２不使用時排気開口２ｂ４は、第２上面開口２ｂ１よりも小さい。
【００３７】
（第３筐体２ｃ）
第３筐体２ｃは、第３負荷試験部（第３抵抗部３０ｃ、第３冷却部５０ｃ）、第３発電部９１ｃ、第３制御部９３ｃ、第３吸気部９５ｃ、第３送風部９６ｃ、第３排気部９７ｃを含む。
【００３８】
第３筐体２ｃの上面で第３抵抗部３０ｃとｚ方向で対向する領域は、負荷試験の冷却風の排気用に開口する（第３上面開口２ｃ１）。
第３筐体２ｃの前面と背面で第３冷却部５０ｃとｙ方向で対向する領域は、負荷試験の冷却風の吸気用に開口する（第３側面開口２ｃ２）。
【００３９】
第３筐体２ｃの背面でｚ方向下方、すなわち第３側面開口２ｃ２の近傍には、第３負荷試験部の第１負荷試験領域１ａにあるもの不使用時の空気の吸気用に開口する（第３不使用時吸気開口２ｃ３）。
第３不使用時吸気開口２ｃ３は、第３側面開口２ｃ２よりも小さい。
第３筐体２ｃの前面でｚ方向上方には、第３負荷試験部の第１負荷試験領域１ａにあるものの不使用時の空気の排気用に開口する（第３不使用時排気開口２ｃ４）。
第３不使用時排気開口２ｃ４は、第３筐体２ｃの側面であって、第３不使用時吸気開口２ｃ３がある側とｙ方向で反対側の面に設けられる。
第３不使用時排気開口２ｃ４は、第３不使用時吸気開口２ｃ３よりも高い位置に設けられる。
第３不使用時排気開口２ｃ４は、第３上面開口２ｃ１よりも小さい。
【００４０】
（第４筐体２ｄ）
第４筐体２ｄは、第１負荷試験制御部７０ａ、抵抗部側リレー部８１、第４発電部９１ｄ、第４制御部９３ｄ、第４吸気部９５ｄ、第４送風部９６ｄ、第４排気部９７ｄを含む。
ただし、第１負荷試験制御部７０ａの一部または全部、若しくは抵抗部側リレー部８１の一部または全部が、第１筐体２ａなどに含まれてもよい。
例えば、第１筐体２ａが第１抵抗部側リレー部８１ａを含み、第２筐体２ｂが第２抵抗部側リレー部８１ｂを含み、第３筐体２ｃが第３抵抗部側リレー部８１ｃを含む形態が考えられる。
【００４１】
第４筐体２ｄの背面でｚ方向下方には、第１負荷試験部〜第３負荷試験部の第１負荷試験領域１ａにあるものの不使用時の空気の吸気用に開口する（第４不使用時吸気開口２ｄ３）。
第４筐体２ｄの前面でｚ方向上方には、第１負荷試験部〜第３負荷試験部の第１負荷試験領域１ａにあるものの不使用時の空気の排気用に開口する（第４不使用時排気開口２ｄ４）。
第４不使用時排気開口２ｄ４は、第４筐体２ｄの側面であって、第４不使用時吸気開口２ｄ３がある側とｙ方向で反対側の面に設けられる。
第４不使用時排気開口２ｄ４は、第４不使用時吸気開口２ｄ３よりも高い位置に設けられる。
【００４２】
第１筐体２ａ〜第４筐体２ｄは、一体で構成されてもよいし、別体で構成されてもよい。第１筐体２ａ〜第４筐体２ｄが一体で構成されている場合、隣接する筐体の間には、隔壁が設けられてもよいし、隔壁が設けられなくてもよい。
当該隔壁には、開口領域が設けられ、当該開口領域を介して、抵抗部３０、冷却部５０、第１負荷試験制御部７０ａ、抵抗部側リレー部８１、及び第１空気循環部９０ａに含まれる電気部材のケーブル接続が行われる。
【００４３】
（第５筐体２ｅ）
第５筐体２ｅは、第１負荷試験部の第２負荷試験領域１ｂにあるもの（第１リアクトル６０ａ）、第５発電部９１ｅ、第５制御部９３ｅ、第５吸気部９５ｅ、第５送風部９６ｅ、第５排気部９７ｅを含む（図９、図１０参照）。
【００４４】
第５筐体２ｅの背面でｚ方向下方には、第１負荷試験部の第２負荷試験領域１ｂにあるものの不使用時の空気の吸気用に開口する（第５不使用時吸気開口２ｅ３）。
第５不使用時吸気開口２ｅ３は、第１筐体２ａの第１側面開口２ａ２よりも小さい。
第５筐体２ｅの前面でｚ方向上方には、第１負荷試験部の第２負荷試験領域１ｂにあるものの不使用時の空気の排気用に開口する（第５不使用時排気開口２ｅ４）。
第５不使用時排気開口２ｅ４は、第５筐体２ｅの側面であって、第５不使用時吸気開口２ｅ３がある側とｙ方向で反対側の面に設けられる。
第５不使用時排気開口２ｅ４は、第５不使用時吸気開口２ｅ３よりも高い位置に設けられる。
第５不使用時排気開口２ｅ４は、第１筐体２ａの第１上面開口２ａ１よりも小さい。
【００４５】
（第６筐体２ｆ）
第６筐体２ｆは、第２負荷試験部の第２負荷試験領域１ｂにあるもの（第２リアクトル６０ｂ）、第６発電部９１ｆ、第６制御部９３ｆ、第６吸気部９５ｆ、第６送風部９６ｆ、第６排気部９７ｆを含む。
【００４６】
第６筐体２ｆの背面でｚ方向下方には、第２負荷試験部の第２負荷試験領域１ｂにあるものの不使用時の空気の吸気用に開口する（第６不使用時吸気開口２ｆ３）。
第６不使用時吸気開口２ｆ３は、第２筐体２ｂの第２側面開口２ｂ２よりも小さい。
第６筐体２ｆの前面でｚ方向上方には、第２負荷試験部の第２負荷試験領域１ｂにあるものの不使用時の空気の排気用に開口する（第６不使用時排気開口２ｆ４）。
第６不使用時排気開口２ｆ４は、第６筐体２ｆの側面であって、第６不使用時吸気開口２ｆ３がある側とｙ方向で反対側の面に設けられる。
第６不使用時排気開口２ｆ４は、第６不使用時吸気開口２ｆ３よりも高い位置に設けられる。
第６不使用時排気開口２ｆ４は、第２筐体２ｂの第２上面開口２ｂ１よりも小さい。
【００４７】
（第７筐体２ｇ）
第７筐体２ｇは、第３負荷試験部の第２負荷試験領域１ｂにあるもの（第３リアクトル６０ｃ）、第７発電部９１ｇ、第７制御部９３ｇ、第７吸気部９５ｇ、第７送風部９６ｇ、第７排気部９７ｇを含む。
【００４８】
第７筐体２ｇの背面でｚ方向下方には、第３負荷試験部の第２負荷試験領域１ｂにあるものの不使用時の空気の吸気用に開口する（第７不使用時吸気開口２ｇ３）。
第７不使用時吸気開口２ｇ３は、第３筐体２ｃの第３側面開口２ｃ２よりも小さい。
第７筐体２ｇの前面でｚ方向上方には、第３負荷試験部の第２負荷試験領域１ｂにあるものの不使用時の空気の排気用に開口する（第７不使用時排気開口２ｇ４）。
第７不使用時排気開口２ｇ４は、第７筐体２ｇの側面であって、第７不使用時吸気開口２ｇ３がある側とｙ方向で反対側の面に設けられる。
第７不使用時排気開口２ｇ４は、第７不使用時吸気開口２ｇ３よりも高い位置に設けられる。
第７不使用時排気開口２ｇ４は、第３筐体２ｃの第３上面開口２ｃ１よりも小さい。
【００４９】
（第８筐体２ｈ）
第８筐体２ｈは、第２負荷試験制御部７０ｂ、リアクトル側リレー部８２、第８発電部９１ｈ、第８制御部９３ｈ、第８吸気部９５ｈ、第８送風部９６ｈ、第８排気部９７ｈを含む。
ただし、第２負荷試験制御部７０ｂの一部または全部、若しくはリアクトル側リレー部８８の一部または全部が、第５筐体２ｅなどに含まれてもよい。
例えば、第５筐体２ｅが第１リアクトル側リレー部８２ａを含み、第６筐体２ｆが第２リアクトル側リレー部８２ｂを含み、第７筐体２ｇが第３リアクトル側リレー部８２ｃを含む形態が考えられる。
【００５０】
第８筐体２ｈの背面でｚ方向下方には、負荷試験装置１の第２負荷試験領域１ｂの第１負荷試験部〜第３負荷試験部の不使用時の空気の吸気用に開口する（第８不使用時吸気開口２ｈ３）。
第８筐体２ｈの前面でｚ方向上方には、負荷試験装置１の第２負荷試験領域１ｂの第１負荷試験部〜第３負荷試験部の不使用時の空気の排気用に開口する（第８不使用時排気開口２ｈ４）。
第８不使用時排気開口２ｈ４は、第８筐体２ｈの側面であって、第８不使用時吸気開口２ｈ３がある側とｙ方向で反対側の面に設けられる。
第８不使用時排気開口２ｈ４は、第８不使用時吸気開口２ｈ３よりも高い位置に設けられる。
【００５１】
第５筐体２ｅ〜第８筐体２ｈは、一体で構成されてもよいし、別体で構成されてもよい。第５筐体２ｅ〜第８筐体２ｈが一体で構成されている場合、隣接する筐体の間には、隔壁が設けられてもよいし、隔壁が設けられなくてもよい。
当該隔壁には、開口領域が設けられ、当該開口領域を介して、リアクトル部６０、第２負荷試験制御部７０ｂ、リアクトル側リレー部８２、及び第２空気循環部９０ｂに含まれる電気部材のケーブル接続が行われる。
また、当該開口領域を介して、接続棒６２を使った、リアクトル部６０の第１鉄心６１ａ４〜第３鉄心６１ｃ４の接続が行われる。
【００５２】
（筐体の構成）
本実施形態では、第１負荷試験領域１ａの筐体（第１筐体２ａ〜第４筐体２ｄ）と、第２負荷試験領域１ｂの筐体（第５筐体２ｅ〜第８筐体２ｈ）は、別体で構成される。ただし、１つの筐体（第１筐体２ａ〜第８筐体２ｈ）が、第１負荷試験領域１ａと第２負荷試験領域２ｂの筐体として用いられてもよい。
【００５３】
（第１負荷試験部）
第１負荷試験部の構成について説明する。
第１負荷試験部は、試験対象電源（三相交流発電機）の３相のうちの１つ（本実施形態では、Ｒ相）の負荷試験を行うために使用されるもので、第１抵抗部３０ａ（第１抵抗器群セット３１ａ、第１排気蓋３３ａ）、第１冷却部５０ａ（第１吸気蓋５１ａ、第１冷却装置５３ａ）、第１リアクトル６０ａ（第１コイルグループ６１ａ）を有する。
【００５４】
第１抵抗器群セット３１ａの吸気口と、第１冷却装置５３ａの排気口とが対向するように、第１抵抗部３０ａと第１冷却部５０ａとがｚ方向に並べられる。
【００５５】
（第２負荷試験部）
第２負荷試験部の構成について説明する。
第２負荷試験部は、試験対象電源（三相交流発電機）の３相のうちの１つ（本実施形態では、Ｓ相）の負荷試験を行うために使用されるもので、第２抵抗部３０ｂ（第２抵抗器群セット３１ｂ、第２排気蓋３３ｂ）、第２冷却部５０ｂ（第２吸気蓋５１ｂ、第２冷却装置５３ｂ）、第２リアクトル６０ｂ（第２コイルグループ６１ｂ）を有する。
【００５６】
第２抵抗器群セット３１ｂの吸気口と、第２冷却装置５３ｂの排気口とが対向するように、第２抵抗部３０ｂと第２冷却部５０ｂとがｚ方向に並べられる。
【００５７】
（第３負荷試験部）
第３負荷試験部の構成について説明する。
第３負荷試験部は、試験対象電源（三相交流発電機）の３相のうちの１つ（本実施形態では、Ｔ相）の負荷試験を行うために使用されるもので、第３抵抗部３０ｃ（第３抵抗器群セット３１ｃ、第３排気蓋３３ｃ）、第３冷却部５０ｃ（第３吸気蓋５１ｃ、第３冷却装置５３ｃ）、第３リアクトル６０ｃ（第３コイルグループ６１ｃ）を有する。
【００５８】
第３抵抗器群セット３１ｃの吸気口と、第３冷却装置５３ｃの排気口とが対向するように、第３抵抗部３０ｃと第３冷却部５０ｃとがｚ方向に並べられる。
【００５９】
（接続部材３）
第１抵抗器群セット３１ａ、第２抵抗器群セット３１ｂ、第３抵抗器群セット３１ｃに関する電気的な接続は、第１負荷試験制御部７０ａの第１電源端子部７３からのケーブル、接続バーなどの接続部材３を使って行われる（図２、図３参照）。
第１コイルグループ６１ａ、第２コイルグループ６１ｂ、第３コイルグループ６１ｃに関する電気的な接続は、第２負荷試験制御部７０ｂの第２電源端子部７４からのケーブル、接続バーなどの接続部材３を使って行われる（図４、図５参照）。
【００６０】
（制御線４）
第１抵抗器群セット３１ａのスイッチング装置（第１抵抗部側リレー部８１ａ）、第２抵抗器群セット３１ｂのスイッチング装置（第２抵抗部側リレー部８１ｂ）、第３抵抗器群セット３１ｃのスイッチング装置（第３抵抗部側リレー部８１ｃ）の制御は、第１負荷試験制御部７０ａの第１制御端子部７５からのケーブル（制御線４）を使って行われる。
第１コイルグループ６１ａのスイッチング装置（第１リアクトル側リレー部８２ａ）、第２コイルグループ６１ｂのスイッチング装置（第２リアクトル側リレー部８２ｂ）、第３コイルグループ６１ｃのスイッチング装置（第３リアクトル側リレー部８２ｃ）の制御は、第２負荷試験制御部７０ｂの第２制御端子部７６からのケーブル（制御線４）を使って行われる。
【００６１】
制御線４は、第１負荷試験制御部７０ａから抵抗部側リレー部８１に設けられたスイッチング装置（第１抵抗部側リレー部８１ａ〜第３抵抗部側リレー部８１ｃのリレー）のオンオフ制御を行うため、第２負荷試験制御部７０ｂからリアクトル側リレー部８２に設けられたスイッチング装置（第１リアクトル側リレー部８２ａ〜第３リアクトル側リレー部８２ｃのリレー）のオンオフ制御を行うために使用されるケーブルである。
【００６２】
（制御信号線５）
第１操作部７１の各スイッチの操作状態に関する情報は、制御信号線５を介して、第２操作部７２に送信される。
制御信号線５は、光ファイバーケーブルなど、複数の信号が重畳して送信可能なケーブルで構成されてもよいし、複数の電気信号ケーブルで構成されてもよい。
【００６３】
（第１抵抗部３０ａ）
第１抵抗部３０ａの構成について説明する。
第１抵抗部３０ａは、複数の抵抗器を含む第１抵抗器群セット３１ａ、第１排気蓋３３ａを有する。
【００６４】
第１抵抗器群セット３１ａに含まれる複数の抵抗器は、ｙ方向に平行な棒状の抵抗器で構成される。当該複数の抵抗器は、ｘ方向に所定の間隔を空けて複数本並べられ、抵抗器列を形成する。当該抵抗器列は、ｚ方向に１段以上並べられる。第１抵抗器群セット３１ａは、第１負荷試験制御部７０ａの第１電源端子部７３を介して接続された三相交流発電機などの試験対象電源のＲ相の負荷試験を行うために用いられる。
【００６５】
第１抵抗器群セット３１ａに含まれる複数の抵抗器のうち、直列又は並列に接続された１以上の抵抗器が抵抗器群を形成する。当該抵抗器群と第１抵抗器群セット３１ａに含まれる他の抵抗器群は、直列での接続と並列での接続のいずれかに切り替え可能な状態で接続される。抵抗器群と他の抵抗器群の接続方法を直列と並列とで切り替えるため、及び抵抗器群ごとに電力供給のオンオフ制御を行うためのスイッチング装置（第１抵抗部側リレー部８１ａ）が設けられる。
試験対象電源のＲ相からの電圧印加を行う抵抗器群の数、及び／若しくは、第１抵抗器群セット３１ａに含まれる抵抗器群の接続方法を変えながら、負荷試験が行われる。
【００６６】
本実施形態では、第１抵抗器群セット３１ａに３つの抵抗器群（第１１抵抗器群３１ａ１、第１２抵抗器群３１ａ２、第１３抵抗器群３１ａ３）が設けられた例を示す。しかしながら、第１抵抗器群セット３１ａに設けられる抵抗器群の数は３つに限るものではない。
【００６７】
（第１抵抗器群セット３１ａ）
第１抵抗器群セット３１ａは、第１１抵抗器群３１ａ１、第１２抵抗器群３１ａ２、第１３抵抗器群３１ａ３を有する（図１１、図１４〜図１６参照）。
第１１抵抗器群３１ａ１、第１２抵抗器群３１ａ２、第１３抵抗器群３１ａ３は、第１抵抗部側リレー部８１ａを介して、直列での接続と並列での接続との切り替えが可能な状態で、接続される。
【００６８】
（第１抵抗部側リレー部８１ａ）
第１抵抗部側リレー部８１ａは、第１１リレーＲ１１、第１２リレーＲ１２、第１３リレーＲ１３、第１４リレーＲ１４、第１５リレーＲ１５、第１６リレーＲ１６、第１７リレーＲ１７を有する。
【００６９】
第１１リレーＲ１１の一方の接点（例えば、可動接点）は、第１１抵抗器群３１ａ１の一方の端部と接続される。
第１１リレーＲ１１の他方の接点（例えば、固定接点）は、第１２抵抗器群３１ａ２の一方の端部と接続される。
第１２リレーＲ１２の一方の接点（例えば、可動接点）は、第１１抵抗器群３１ａ１の他方の端部と接続される。
第１２リレーＲ１２の他方の接点（例えば、固定接点）は、第１２抵抗器群３１ａ２の一方の端部と接続される。
第１３リレーＲ１３の一方の接点（例えば、可動接点）は、第１１抵抗器群３１ａ１の他方の端部と接続される。
第１３リレーＲ１３の他方の接点（例えば、固定接点）は、第１中性点ｃ１と接続される。
第１４リレーＲ１４の一方の接点（例えば、可動接点）は、第１２抵抗器群３１ａ２の他方の端部と接続される。
第１４リレーＲ１４の他方の接点（例えば、固定接点）は、第１３抵抗器群３１ａ３の一方の端部と接続される。
第１５リレーＲ１５の一方の接点（例えば、可動接点）は、第１２抵抗器群３１ａ２の一方の端部と接続される。
第１５リレーＲ１５の他方の接点（例えば、固定接点）は、第１３抵抗器群３１ａ３の一方の端部と接続される。
第１６リレーＲ１６の一方の接点（例えば、可動接点）は、第１２抵抗器群３１ａ２の他方の端部と接続される。
第１６リレーＲ１６の他方の接点（例えば、固定接点）は、第１中性点ｃ１と接続される。
第１７リレーＲ１７の一方の接点（例えば、可動接点）は、第１３抵抗器群３１ａ３の他方の端部と接続される。
第１７リレーＲ１７の他方の接点（例えば、固定接点）は、第１中性点ｃ１と接続される。
【００７０】
第１排気蓋３３ａは、第１筐体２ａの上面の排気用の開口（第１上面開口２ａ１）に設けられる。
負荷試験を行う時、すなわち、第１負荷試験部の使用時、第１筐体２ａの第１上面開口２ａ１から空気が排出出来るように、第１排気蓋３３ａが空けられる。
負荷試験を行わない時、すなわち、第１負荷試験部の不使用時、第１筐体２ａの第１上面開口２ａ１から空気が流入出来ないように（第１上面開口２ａ１を介して外部から異物が侵入しないように）、第１排気蓋３３ａが閉じられる。
第１排気蓋３３ａの開閉は、電動で行われる形態であってもよいし、使用者などの手動で行われる形態であってもよい。
【００７１】
（第２抵抗部３０ｂ）
第２抵抗部３０ｂの構成について説明する。
第２抵抗部３０ｂは、複数の抵抗器を含む第２抵抗器群セット３１ｂ、第２排気蓋３３ｂを有する。
【００７２】
第２抵抗器群セット３１ｂに含まれる複数の抵抗器は、ｙ方向に平行な棒状の抵抗器で構成される。当該複数の抵抗器は、ｘ方向に所定の間隔を空けて複数本並べられ、抵抗器列を形成する。当該抵抗器列は、ｚ方向に１段以上並べられる。第２抵抗器群セット３１ｂは、第１負荷試験制御部７０ａの第１電源端子部７３を介して接続された三相交流発電機などの試験対象電源のＳ相の負荷試験を行うために用いられる。
【００７３】
第２抵抗器群セット３１ｂに含まれる複数の抵抗器のうち、直列又は並列に接続された１以上の抵抗器が抵抗器群を形成する。当該抵抗器群と第２抵抗器群セット３１ｂに含まれる他の抵抗器群は、直列での接続と並列での接続のいずれかに切り替え可能な状態で接続される。抵抗器群と他の抵抗器群の接続方法を直列と並列とで切り替えるため、及び抵抗器群ごとに電力供給のオンオフ制御を行うためのスイッチング装置（第２抵抗部側リレー部８１ｂ）が設けられる。
試験対象電源のＳ相からの電圧印加を行う抵抗器群の数、及び／若しくは、第２抵抗器群セット３１ｂに含まれる抵抗器群の接続方法を変えながら、負荷試験が行われる。
【００７４】
本実施形態では、第２抵抗器群セット３１ｂに３つの抵抗器群（第２１抵抗器群３１ｂ１、第２２抵抗器群３１ｂ２、第２３抵抗器群３１ｂ３）が設けられた例を示す。しかしながら、第２抵抗器群セット３１ｂに設けられる抵抗器群の数は３つに限るものではない。
【００７５】
（第２抵抗器群セット３１ｂ）
第２抵抗器群セット３１ｂは、第２１抵抗器群３１ｂ１、第２２抵抗器群３１ｂ２、第２３抵抗器群３１ｂ３を有する。
第２１抵抗器群３１ｂ１、第２２抵抗器群３１ｂ２、第２３抵抗器群３１ｂ３は、第２抵抗部側リレー部８１ｂを介して、直列での接続と並列での接続との切り替えが可能な状態で、接続される。
【００７６】
（第２抵抗部側リレー部８１ｂ）
第２抵抗部側リレー部８１ｂは、第２１リレーＲ２１、第２２リレーＲ２２、第２３リレーＲ２３、第２４リレーＲ２４、第２５リレーＲ２５、第２６リレーＲ２６、第２７リレーＲ２７を有する。
【００７７】
第２１リレーＲ２１の一方の接点（例えば、可動接点）は、第２１抵抗器群３１ｂ１の一方の端部と接続される。
第２１リレーＲ２１の他方の接点（例えば、固定接点）は、第２２抵抗器群３１ｂ２の一方の端部と接続される。
第２２リレーＲ２２の一方の接点（例えば、可動接点）は、第２１抵抗器群３１ｂ１の他方の端部と接続される。
第２２リレーＲ２２の他方の接点（例えば、固定接点）は、第２２抵抗器群３１ｂ２の一方の端部と接続される。
第２３リレーＲ２３の一方の接点（例えば、可動接点）は、第２１抵抗器群３１ｂ１の他方の端部と接続される。
第２３リレーＲ２３の他方の接点（例えば、固定接点）は、第１中性点ｃ１と接続される。
第２４リレーＲ２４の一方の接点（例えば、可動接点）は、第２２抵抗器群３１ｂ２の他方の端部と接続される。
第２４リレーＲ２４の他方の接点（例えば、固定接点）は、第２３抵抗器群３１ｂ３の一方の端部と接続される。
第２５リレーＲ２５の一方の接点（例えば、可動接点）は、第２２抵抗器群３１ｂ２の一方の端部と接続される。
第２５リレーＲ２５の他方の接点（例えば、固定接点）は、第２３抵抗器群３１ｂ３の一方の端部と接続される。
第２６リレーＲ２６の一方の接点（例えば、可動接点）は、第２２抵抗器群３１ｂ２の他方の端部と接続される。
第２６リレーＲ２６の他方の接点（例えば、固定接点）は、第１中性点ｃ１と接続される。
第２７リレーＲ２７の一方の接点（例えば、可動接点）は、第２３抵抗器群３１ｂ３の他方の端部と接続される。
第２７リレーＲ２７の他方の接点（例えば、固定接点）は、第１中性点ｃ１と接続される。
【００７８】
第２排気蓋３３ｂは、第２筐体２ｂの上面の排気用の開口（第２上面開口２ｂ１）に設けられる。
負荷試験を行う時、すなわち、第２負荷試験部の使用時、第２筐体２ｂの第２上面開口２ｂ１から空気が排出出来るように、第２排気蓋３３ｂが空けられる。
負荷試験を行わない時、すなわち、第２負荷試験部の不使用時、第２筐体２ｂの第２上面開口２ｂ１から空気が流入出来ないように（第２上面開口２ｂ１を介して外部から異物が侵入しないように）、第２排気蓋３３ｂが閉じられる。
第２排気蓋３３ｂの開閉は、電動で行われる形態であってもよいし、使用者などの手動で行われる形態であってもよい。
【００７９】
（第３抵抗部３０ｃ）
第３抵抗部３０ｃの構成について説明する。
第３抵抗部３０ｃは、複数の抵抗器を含む第３抵抗器群セット３１ｃ、第３排気蓋３３ｃを有する。
【００８０】
第３抵抗器群セット３１ｃに含まれる複数の抵抗器は、ｙ方向に平行な棒状の抵抗器で構成される。当該複数の抵抗器は、ｘ方向に所定の間隔を空けて複数本並べられ、抵抗器列を形成する。当該抵抗器列は、ｚ方向に１段以上並べられる。第３抵抗器群セット３１ｃは、第１負荷試験制御部７０ａの第１電源端子部７３を介して接続された三相交流発電機などの試験対象電源のＴ相の負荷試験を行うために用いられる。
【００８１】
第３抵抗器群セット３１ｃに含まれる複数の抵抗器のうち、直列又は並列に接続された１以上の抵抗器が抵抗器群を形成する。当該抵抗器群と第３抵抗器群セット３１ｃに含まれる他の抵抗器群は、直列での接続と並列での接続のいずれかに切り替え可能な状態で接続される。抵抗器群と他の抵抗器群の接続方法を直列と並列とで切り替えるため、及び抵抗器群ごとに電力供給のオンオフ制御を行うためのスイッチング装置（第３抵抗部側リレー部８１ｃ）が設けられる。
試験対象電源のＴ相からの電圧印加を行う抵抗器群の数、及び／若しくは、第３抵抗器群セット３１ｃに含まれる抵抗器群の接続方法を変えながら、負荷試験が行われる。
【００８２】
本実施形態では、第３抵抗器群セット３１ｃに３つの抵抗器群（第３１抵抗器群３１ｃ１、第３２抵抗器群３１ｃ２、第３３抵抗器群３１ｃ３）が設けられた例を示す。しかしながら、第３抵抗器群セット３１ｃに設けられる抵抗器群の数は３つに限るものではない。
【００８３】
（第３抵抗器群セット３１ｃ）
第３抵抗器群セット３１ｃは、第３１抵抗器群３１ｃ１、第３２抵抗器群３１ｃ２、第３３抵抗器群３１ｃ３を有する。
第３１抵抗器群３１ｃ１、第３２抵抗器群３１ｃ２、第３３抵抗器群３１ｃ３は、第３抵抗部側リレー部８１ｃを介して、直列での接続と並列での接続との切り替えが可能な状態で、接続される。
【００８４】
（第３抵抗部側リレー部８１ｃ）
第３抵抗部側リレー部８１ｃは、第３１リレーＲ３１、第３２リレーＲ３２、第３３リレーＲ３３、第３４リレーＲ３４、第３５リレーＲ３５、第３６リレーＲ３６、第３７リレーＲ３７を有する。
【００８５】
第３１リレーＲ３１の一方の接点（例えば、可動接点）は、第３１抵抗器群３１ｃ１の一方の端部と接続される。
第３１リレーＲ３１の他方の接点（例えば、固定接点）は、第３２抵抗器群３１ｃ２の一方の端部と接続される。
第３２リレーＲ３２の一方の接点（例えば、可動接点）は、第３１抵抗器群３１ｃ１の他方の端部と接続される。
第３２リレーＲ３２の他方の接点（例えば、固定接点）は、第３２抵抗器群３１ｃ２の一方の端部と接続される。
第３３リレーＲ３３の一方の接点（例えば、可動接点）は、第３１抵抗器群３１ｃ１の他方の端部と接続される。
第３３リレーＲ３３の他方の接点（例えば、固定接点）は、第１中性点ｃ１と接続される。
第３４リレーＲ３４の一方の接点（例えば、可動接点）は、第３２抵抗器群３１ｃ２の他方の端部と接続される。
第３４リレーＲ３４の他方の接点（例えば、固定接点）は、第３３抵抗器群３１ｃ３の一方の端部と接続される。
第３５リレーＲ３５の一方の接点（例えば、可動接点）は、第３２抵抗器群３１ｃ２の一方の端部と接続される。
第３５リレーＲ３５の他方の接点（例えば、固定接点）は、第３３抵抗器群３１ｃ３の一方の端部と接続される。
第３６リレーＲ３６の一方の接点（例えば、可動接点）は、第３２抵抗器群３１ｃ２の他方の端部と接続される。
第３６リレーＲ３６の他方の接点（例えば、固定接点）は、第１中性点ｃ１と接続される。
第３７リレーＲ３７の一方の接点（例えば、可動接点）は、第３３抵抗器群３１ｃ３の他方の端部と接続される。
第３７リレーＲ３７の他方の接点（例えば、固定接点）は、第１中性点ｃ１と接続される。
【００８６】
第３排気蓋３３ｃは、第３筐体２ｃの上面の排気用の開口（第３上面開口２ｃ１）に設けられる。
負荷試験を行う時、すなわち、第３負荷試験部の使用時、第３筐体２ｃの第３上面開口２ｃ１から空気が排出出来るように、第３排気蓋３３ｃが空けられる。
負荷試験を行わない時、すなわち、第３負荷試験部の不使用時、第３筐体２ｃの第３上面開口２ｃ１から空気が流入出来ないように（第３上面開口２ｃ１を介して外部から異物が侵入しないように）、第３排気蓋３３ｃが閉じられる。
第３排気蓋３３ｃの開閉は、電動で行われる形態であってもよいし、使用者などの手動で行われる形態であってもよい。
【００８７】
（中性点接続）
中性点接続のために、第１抵抗器群セット３１ａの抵抗器群と、第２抵抗器群セット３１ｂの抵抗器群と、第３抵抗器群セット３１ｃの抵抗器群とは短絡される。第１抵抗器群セット３１ａと第２抵抗器群セット３１ｂと第３抵抗器群セット３１ｃが短絡される中性点を第１中性点ｃ１と定義する。
【００８８】
（抵抗器の配列方向）
本実施形態では、第１抵抗器群セット３１ａ〜第３抵抗器群セット３１ｃにおける抵抗器列は、ｙ方向に平行な棒状の抵抗器が、ｘ方向に所定の間隔を空けて複数本並べられる形態を説明した。しかしながら、ｘ方向に平行な棒状の抵抗器が、ｙ方向に所定の間隔を空けて複数本並べられる形態であってもよい。
【００８９】
（第１冷却部５０ａ）
第１冷却部５０ａの構成について説明する。
第１冷却部５０ａは、第１吸気蓋５１ａと第１冷却装置５３ａを有する。
【００９０】
第１吸気蓋５１ａは、第１筐体２ａの前面と背面の吸気用の開口（第１側面開口２ａ２）に設けられる。
負荷試験を行う時、すなわち、負荷試験装置１の第１負荷試験部の使用時、第１筐体２ａの第１側面開口２ａ２から空気が流入出来るように、第１吸気蓋５１ａが空けられる。
負荷試験を行わない時、すなわち、負荷試験装置１の第１負荷試験部の不使用時、第１筐体２ａの第１側面開口２ａ２から空気が流入出来ないように、第１吸気蓋５１ａが閉じられる。
第１吸気蓋５１ａの開閉は、電動で行われる形態であってもよいし、使用者などの手動で行われる形態であってもよい。
【００９１】
第１冷却装置５３ａは、冷却ファンなど、上方向（ｚ方向）に風を排出する送風装置であり、吸気口から導入された空気を、第１抵抗部３０ａに送り込む。
第１冷却装置５３ａによって送り込まれた空気は、第１抵抗部３０ａの内部を通り、第１上面開口２ａ１から排出される（図６の太線矢印線参照）。
【００９２】
（第２冷却部５０ｂ）
第２冷却部５０ｂの構成について説明する。
第２冷却部５０ｂは、第２吸気蓋５１ｂと第２冷却装置５３ｂを有する。
【００９３】
第２吸気蓋５１ｂは、第２筐体２ｂの前面と背面の吸気用の開口（第２側面開口２ｂ２）に設けられる。
負荷試験を行う時、すなわち、負荷試験装置１の第２負荷試験部の使用時、第２筐体２ｂの第２側面開口２ｂ２から空気が流入出来るように、第２吸気蓋５１ｂが空けられる。
負荷試験を行わない時、すなわち、負荷試験装置１の第２負荷試験部の不使用時、第２筐体２ｂの第２側面開口２ｂ２から空気が流入出来ないように、第２吸気蓋５１ｂが閉じられる。
第２吸気蓋５１ｂの開閉は、電動で行われる形態であってもよいし、使用者などの手動で行われる形態であってもよい。
【００９４】
第２冷却装置５３ｂは、冷却ファンなど、上方向（ｚ方向）に風を排出する送風装置で、吸気口から導入された空気を、第２抵抗部３０ｂに送り込む。
第２冷却装置５３ｂによって送り込まれた空気は、第２抵抗部３０ｂの内部を通り、第２上面開口２ｂ１から排出される。
【００９５】
（第３冷却部５０ｃ）
第３冷却部５０ｃの構成について説明する。
第３冷却部５０ｃは、第３吸気蓋５１ｃと第３冷却装置５３ｃを有する。
【００９６】
第３吸気蓋５１ｃは、第３筐体２ｃの前面と背面の吸気用の開口（第３側面開口２ｃ２）に設けられる。
負荷試験を行う時、すなわち、負荷試験装置１の第３負荷試験部の使用時、第３筐体２ｃの第３側面開口２ｃ２から空気が流入出来るように、第３吸気蓋５１ｃが空けられる。
負荷試験を行わない時、すなわち、負荷試験装置１の第３負荷試験部の不使用時、第３筐体２ｃの第３側面開口２ｃ２から空気が流入出来ないように、第３吸気蓋５１ｃが閉じられる。
第３吸気蓋５１ｃの開閉は、電動で行われる形態であってもよいし、使用者などの手動で行われる形態であってもよい。
【００９７】
第３冷却装置５３ｃは、冷却ファンなど、上方向（ｚ方向）に風を排出する送風装置で、吸気口から導入された空気を、第３抵抗部３０ｃに送り込む。
第３冷却装置５３ｃによって送り込まれた空気は、第３抵抗部３０ｃの内部を通り、第３上面開口２ｃ１から排出される。
【００９８】
（抵抗器群セット、冷却装置の取り付け）
第１抵抗部３０ａの第１抵抗器群セット３１ａと第１冷却部５０ａの第１冷却装置５３ａは、第１筐体２ａに直接取り付けられてもよいし、不図示の枠体を介して取り付けられてもよい。
第２抵抗部３０ｂの第２抵抗器群セット３１ｂと第２冷却部５０ｂの第２冷却装置５３ｂは、第２筐体２ｂに直接取り付けられてもよいし、不図示の枠体を介して取り付けられてもよい。
第３抵抗部３０ｃの第３抵抗器群セット３１ｃと第３冷却部５０ｃの第３冷却装置５３ｃは、第３筐体２ｃに直接取り付けられてもよいし、不図示の枠体を介して取り付けられてもよい。
【００９９】
（第１リアクトル６０ａ）
第１リアクトル６０ａの構成について説明する。
第１リアクトル６０ａは、複数のコイルを含む第１コイルグループ６１ａを有する。
【０１００】
第１コイルグループ６１ａに含まれる複数のコイルは、ｚ方向に１段以上並べられる。第１コイルグループ６１ａは、第２負荷試験制御部７０ｂの第２電源端子部７４を介して接続された三相交流発電機などの試験対象電源のＲ相の負荷試験における力率調整を行うために用いられる。
【０１０１】
第１コイルグループ６１ａに含まれる複数のコイルは、直列での接続と並列での接続のいずれかに切り替え可能な状態で接続される。コイルと他のコイルの接続方法を直列と並列とで切り替えるため、及びコイルごとに電力供給のオンオフ制御を行うためのスイッチング装置（第１リアクトル側リレー部８２ａ）が設けられる。
インダクタンスの調整のため、試験対象電源のＲ相からの電圧印加を行うコイルの数、及び／若しくは、第１コイルグループ６１ａに含まれるコイルの接続方法を変えながら、負荷試験が行われる。
【０１０２】
本実施形態では、第１コイルグループ６１ａに３つのコイル（第１１コイル６１ａ１、第１２コイル６１ａ２、第１３コイル６１ａ３）が設けられた例を示す。しかしながら、第１コイルグループ６１ａに設けられるコイルの数は３つに限るものではない。
【０１０３】
（第１コイルグループ６１ａ）
第１コイルグループ６１ａは、第１１コイル６１ａ１、第１２コイル６１ａ２、第１３コイル６１ａ３、第１鉄心６１ａ４を有する（図１１〜図１６参照）。
第１１コイル６１ａ１、第１２コイル６１ａ２、第１３コイル６１ａ３は、第１リアクトル側リレー部８２ａを介して、直列での接続と並列での接続との切り替えが可能な状態で、接続される。
【０１０４】
第１１コイル６１ａ１、第１２コイル６１ａ２、第１３コイル６１ａ３には、第１鉄心６１ａ４が設けられる。
導線を第１鉄心６１ａ４に巻き付けることにより、第１１コイル６１ａ１、第１２コイル６１ａ２、第１３コイル６１ａ３が形成されてもよいし、第１１コイル６１ａ１、第１２コイル６１ａ２、第１３コイル６１ａ３について、螺旋が形成された状態で、第１鉄心６１ａ４に挿入されてもよい。
【０１０５】
第１１コイル６１ａ１は、一方の端部と他方の端部が、上方（ｚ方向）から見て、第１１コイル６１ａ１の中心軸（第１鉄心６１ａ４が通る領域）を挟む位置関係になるように構成される（図１３参照）。
第１２コイル６１ａ２は、一方の端部と他方の端部が、上方（ｚ方向）から見て、第１２コイル６１ａ２の中心軸（第１鉄心６１ａ４が通る領域）を挟む位置関係になるように構成される。
第１１コイル６１ａ１と第１２コイル６１ａ２は、第１１コイル６１ａ１の他方の端部と第１２コイル６１ａ２の一方の端部とが、ｚ方向で対向する位置関係になるように構成される。
第１３コイル６１ａ３は、一方の端部と他方の端部が、上方（ｚ方向）から見て、第１３コイル６１ａ３の中心軸（第１鉄心６１ａ４が通る領域）を挟む位置関係になるように構成される。
第１２コイル６１ａ２と第１３コイル６１ａ３は、第１２コイル６１ａ２の他方の端部と第１３コイル６１ａ３の一方の端部とが、ｚ方向で対向する位置関係になるように構成される。
これにより、第１１コイル６１ａ１、第１２コイル６１ａ２、第１３コイル６１ａ３の周囲のスペースに効率良く、スイッチング装置を配置しやすくなる。
【０１０６】
（第１リアクトル側リレー部８２ａ）
第１リアクトル側リレー部８２ａは、第４１リレーＲ４１、第４２リレーＲ４２、第４３リレーＲ４３、第４４リレーＲ４４、第４５リレーＲ４５、第４６リレーＲ４６、第４７リレーＲ４７を有する。
【０１０７】
第４１リレーＲ４１の一方の接点（例えば、可動接点）は、第１１コイル６１ａ１の一方の端部と接続される。
第４１リレーＲ４１の他方の接点（例えば、固定接点）は、第１２コイル６１ａ２の一方の端部と接続される。
第４２リレーＲ４２の一方の接点（例えば、可動接点）は、第１１コイル６１ａ１の他方の端部と接続される。
第４２リレーＲ４２の他方の接点（例えば、固定接点）は、第１２コイル６１ａ２の一方の端部と接続される。
第４３リレーＲ４３の一方の接点（例えば、可動接点）は、第１１コイル６１ａ１の他方の端部と接続される。
第４３リレーＲ４３の他方の接点（例えば、固定接点）は、第２中性点ｃ２と接続される。
第４４リレーＲ４４の一方の接点（例えば、可動接点）は、第１２コイル６１ａ２の他方の端部と接続される。
第４４リレーＲ４４の他方の接点（例えば、固定接点）は、第１３コイル６１ａ３の一方の端部と接続される。
第４５リレーＲ４５の一方の接点（例えば、可動接点）は、第１２コイル６１ａ２の一方の端部と接続される。
第４５リレーＲ４５の他方の接点（例えば、固定接点）は、第１３コイル６１ａ３の一方の端部と接続される。
第４６リレーＲ４６の一方の接点（例えば、可動接点）は、第１２コイル６１ａ２の他方の端部と接続される。
第４６リレーＲ４６の他方の接点（例えば、固定接点）は、第２中性点ｃ２と接続される。
第４７リレーＲ４７の一方の接点（例えば、可動接点）は、第１３コイル６１ａ３の他方の端部と接続される。
第４７リレーＲ４７の他方の接点（例えば、固定接点）は、第２中性点ｃ２と接続される。
【０１０８】
（第２リアクトル６０ｂ）
第２リアクトル６０ｂの構成について説明する。
第２リアクトル６０ｂは、複数のコイルを含む第２コイルグループ６１ｂを有する。
【０１０９】
第２コイルグループ６１ｂに含まれる複数のコイルは、ｚ方向に１段以上並べられる。第２コイルグループ６１ｂは、第２負荷試験制御部７０ｂの第２電源端子部７４を介して接続された三相交流発電機などの試験対象電源のＳ相の負荷試験における力率調整を行うために用いられる。
【０１１０】
第２コイルグループ６１ｂに含まれる複数のコイルは、直列での接続と並列での接続のいずれかに切り替え可能な状態で接続される。コイルと他のコイルの接続方法を直列と並列とで切り替えるため、及びコイルごとに電力供給のオンオフ制御を行うためのスイッチング装置（第２リアクトル側リレー部８２ｂ）が設けられる。
インダクタンスの調整のため、試験対象電源のＳ相からの電圧印加を行うコイルの数、及び／若しくは、第２コイルグループ６１ｂに含まれるコイルの接続方法を変えながら、負荷試験が行われる。
【０１１１】
本実施形態では、第２コイルグループ６１ｂに３つのコイル（第２１コイル６１ｂ１、第２２コイル６１ｂ２、第２３コイル６１ｂ３）が設けられた例を示す。しかしながら、第２コイルグループ６１ｂに設けられるコイルの数は３つに限るものではない。
【０１１２】
（第２コイルグループ６１ｂ）
第２コイルグループ６１ｂは、第２１コイル６１ｂ１、第２２コイル６１ｂ２、第２３コイル６１ｂ３、第２鉄心６１ｂ４を有する。
第２１コイル６１ｂ１、第２２コイル６１ｂ２、第２３コイル６１ｂ３は、第２リアクトル側リレー部８２ｂを介して、直列での接続と並列での接続との切り替えが可能な状態で、接続される。
【０１１３】
第２１コイル６１ｂ１、第２２コイル６１ｂ２、第２３コイル６１ｂ３には、第２鉄心６１ｂ４が設けられる。
導線を第２鉄心６１ｂ４に巻き付けることにより、第２１コイル６１ｂ１、第２２コイル６１ｂ２、第２３コイル６１ｂ３が形成されてもよいし、第２１コイル６１ｂ１、第２２コイル６１ｂ２、第２３コイル６１ｂ３について、螺旋が形成された状態で、第２鉄心６１ｂ４に挿入されてもよい。
【０１１４】
第２１コイル６１ｂ１は、一方の端部と他方の端部が、上方（ｚ方向）から見て、第２１コイル６１ｂ１の中心軸（第２鉄心６１ｂ４が通る領域）を挟む位置関係になるように構成される。
第２２コイル６１ｂ２は、一方の端部と他方の端部が、上方（ｚ方向）から見て、第２２コイル６１ｂ２の中心軸（第２鉄心６１ｂ４が通る領域）を挟む位置関係になるように構成される。
第２１コイル６１ｂ１と第２２コイル６１ｂ２は、第２１コイル６１ｂ１の他方の端部と第２２コイル６１ｂ２の一方の端部とが、ｚ方向で対向する位置関係になるように構成される。
第２３コイル６１ｂ３は、一方の端部と他方の端部が、上方（ｚ方向）から見て、第２３コイル６１ｂ３の中心軸（第２鉄心６１ｂ４が通る領域）を挟む位置関係になるように構成される。
第２２コイル６１ｂ２と第２３コイル６１ｂ３は、第２２コイル６１ｂ２の他方の端部と第２３コイル６１ｂ３の一方の端部とが、ｚ方向で対向する位置関係になるように構成される。
これにより、第２１コイル６１ｂ１、第２２コイル６１ｂ２、第２３コイル６１ｂ３の周囲のスペースに効率良く、スイッチング装置を配置しやすくなる。
【０１１５】
（第２リアクトル側リレー部８２ｂ）
第２リアクトル側リレー部８２ｂは、第５１リレーＲ５１、第５２リレーＲ５２、第５３リレーＲ５３、第５４リレーＲ５４、第５５リレーＲ５５、第５６リレーＲ５６、第５７リレーＲ５７を有する。
【０１１６】
第５１リレーＲ５１の一方の接点（例えば、可動接点）は、第２１コイル６１ｂ１の一方の端部と接続される。
第５１リレーＲ５１の他方の接点（例えば、固定接点）は、第２２コイル６１ｂ２の一方の端部と接続される。
第５２リレーＲ５２の一方の接点（例えば、可動接点）は、第２１コイル６１ｂ１の他方の端部と接続される。
第５２リレーＲ５２の他方の接点（例えば、固定接点）は、第２２コイル６１ｂ２の一方の端部と接続される。
第５３リレーＲ５３の一方の接点（例えば、可動接点）は、第２１コイル６１ｂ１の他方の端部と接続される。
第５３リレーＲ５３の他方の接点（例えば、固定接点）は、第２中性点ｃ２と接続される。
第５４リレーＲ５４の一方の接点（例えば、可動接点）は、第２２コイル６１ｂ２の他方の端部と接続される。
第５４リレーＲ５４の他方の接点（例えば、固定接点）は、第２３コイル６１ｂ３の一方の端部と接続される。
第５５リレーＲ５５の一方の接点（例えば、可動接点）は、第２２コイル６１ｂ２の一方の端部と接続される。
第５５リレーＲ５５の他方の接点（例えば、固定接点）は、第２３コイル６１ｂ３の一方の端部と接続される。
第５６リレーＲ５６の一方の接点（例えば、可動接点）は、第２２コイル６１ｂ２の他方の端部と接続される。
第５６リレーＲ５６の他方の接点（例えば、固定接点）は、第２中性点ｃ２と接続される。
第５７リレーＲ５７の一方の接点（例えば、可動接点）は、第２３コイル６１ｂ３の他方の端部と接続される。
第５７リレーＲ５７の他方の接点（例えば、固定接点）は、第２中性点ｃ２と接続される。
【０１１７】
（第３リアクトル６０ｃ）
第３リアクトル６０ｃの構成について説明する。
第３リアクトル６０ｃは、複数のコイルを含む第３コイルグループ６１ｃを有する。
【０１１８】
第３コイルグループ６１ｃに含まれる複数のコイルは、ｚ方向に１段以上並べられる。第３コイルグループ６１ｃは、第２負荷試験制御部７０ｂの第２電源端子部７４を介して接続された三相交流発電機などの試験対象電源のＴ相の負荷試験における力率調整を行うために用いられる。
【０１１９】
第３コイルグループ６１ｃに含まれる複数のコイルは、直列での接続と並列での接続のいずれかに切り替え可能な状態で接続される。コイルと他のコイルの接続方法を直列と並列とで切り替えるため、及びコイルごとに電力供給のオンオフ制御を行うためのスイッチング装置（第３リアクトル側リレー部８２ｃ）が設けられる。
インダクタンスの調整のため、試験対象電源のＴ相からの電圧印加を行うコイルの数、及び／若しくは、第３コイルグループ６１ｃに含まれるコイルの接続方法を変えながら、負荷試験が行われる。
【０１２０】
本実施形態では、第３コイルグループ６１ｃに３つのコイル（第３１コイル６１ｃ１、第３２コイル６１ｃ２、第３３コイル６１ｃ３）が設けられた例を示す。しかしながら、第３コイルグループ６１ｃに設けられるコイルの数は３つに限るものではない。
【０１２１】
（第３コイルグループ６１ｃ）
第３コイルグループ６１ｃは、第３１コイル６１ｃ１、第３２コイル６１ｃ２、第３３コイル６１ｃ３、第３鉄心６１ｃ４を有する。
第３１コイル６１ｃ１、第３２コイル６１ｃ２、第３３コイル６１ｃ３は、第３リアクトル側リレー部８２ｃを介して、直列での接続と並列での接続との切り替えが可能な状態で、接続される。
【０１２２】
第３１コイル６１ｃ１、第３２コイル６１ｃ２、第３３コイル６１ｃ３には、第３鉄心６１ｃ４が設けられる。
導線を第３鉄心６１ｃ４に巻き付けることにより、第３１コイル６１ｃ１、第３２コイル６１ｃ２、第３３コイル６１ｃ３が形成されてもよいし、第３１コイル６１ｃ１、第３２コイル６１ｃ２、第３３コイル６１ｃ３について、螺旋が形成された状態で、第３鉄心６１ｃ４に挿入されてもよい。
【０１２３】
第３１コイル６１ｃ１は、一方の端部と他方の端部が、上方（ｚ方向）から見て、第３１コイル６１ｃ１の中心軸（第３鉄心６１ｃ４が通る領域）を挟む位置関係になるように構成される。
第３２コイル６１ｃ２は、一方の端部と他方の端部が、上方（ｚ方向）から見て、第３２コイル６１ｃ２の中心軸（第３鉄心６１ｃ４が通る領域）を挟む位置関係になるように構成される。
第３１コイル６１ｃ１と第３２コイル６１ｃ２は、第３１コイル６１ｃ１の他方の端部と第３２コイル６１ｃ２の一方の端部とが、ｚ方向で対向する位置関係になるように構成される。
第３３コイル６１ｃ３は、一方の端部と他方の端部が、上方（ｚ方向）から見て、第３３コイル６１ｃ３の中心軸（第３鉄心６１ｃ４が通る領域）を挟む位置関係になるように構成される。
第３２コイル６１ｃ２と第３３コイル６１ｃ３は、第３２コイル６１ｃ２の他方の端部と第３３コイル６１ｃ３の一方の端部とが、ｚ方向で対向する位置関係になるように構成される。
これにより、第３１コイル６１ｃ１、第３２コイル６１ｃ２、第３３コイル６１ｃ３の周囲のスペースに効率良く、スイッチング装置を配置しやすくなる。
【０１２４】
（第３リアクトル側リレー部８２ｃ）
第３リアクトル側リレー部８２ｃは、第６１リレーＲ６１、第６２リレーＲ６２、第６３リレーＲ６３、第６４リレーＲ６４、第６５リレーＲ６５、第６６リレーＲ６６、第６７リレーＲ６７を有する。
【０１２５】
第６１リレーＲ６１の一方の接点（例えば、可動接点）は、第３１コイル６１ｃ１の一方の端部と接続される。
第６１リレーＲ６１の他方の接点（例えば、固定接点）は、第３２コイル６１ｃ２の一方の端部と接続される。
第６２リレーＲ６２の一方の接点（例えば、可動接点）は、第３１コイル６１ｃ１の他方の端部と接続される。
第６２リレーＲ６２の他方の接点（例えば、固定接点）は、第３２コイル６１ｃ２の一方の端部と接続される。
第６３リレーＲ６３の一方の接点（例えば、可動接点）は、第３１コイル６１ｃ１の他方の端部と接続される。
第６３リレーＲ６３の他方の接点（例えば、固定接点）は、第２中性点ｃ２と接続される。
第６４リレーＲ６４の一方の接点（例えば、可動接点）は、第３２コイル６１ｃ２の他方の端部と接続される。
第６４リレーＲ６４の他方の接点（例えば、固定接点）は、第３３コイル６１ｃ３の一方の端部と接続される。
第６５リレーＲ６５の一方の接点（例えば、可動接点）は、第３２コイル６１ｃ２の一方の端部と接続される。
第６５リレーＲ６５の他方の接点（例えば、固定接点）は、第３３コイル６１ｃ３の一方の端部と接続される。
第６６リレーＲ６６の一方の接点（例えば、可動接点）は、第３２コイル６１ｃ２の他方の端部と接続される。
第６６リレーＲ６６の他方の接点（例えば、固定接点）は、第２中性点ｃ２と接続される。
第６７リレーＲ６７の一方の接点（例えば、可動接点）は、第３３コイル６１ｃ３の他方の端部と接続される。
第６７リレーＲ６７の他方の接点（例えば、固定接点）は、第２中性点ｃ２と接続される。
【０１２６】
（第１鉄心６１ａ４、第２鉄心６１ｂ４、第３鉄心６１ｃ４の接続）
第１鉄心６１ａ４と第２鉄心６１ｂ４は、接続棒６２を介して接続される。
第２鉄心６１ｂ４と第３鉄心６１ｃ４は、接続棒６２を介して接続される。
第１鉄心６１ａ４〜第３鉄心６１ｃ４と接続棒６２は、一体で構成されてもよいし、別体で構成されて、第１１コイル６１ａ１などの取付後に接続されてもよい。
【０１２７】
第１鉄心６１ａ４と第２鉄心６１ｂ４と第３鉄心６１ｃ４と接続棒６２の少なくとも１つは、碍子７を介して、第２負荷試験領域１ｂの筐体（第５筐体２ｅ〜第８筐体２ｈ）に保持される。
本実施形態では、接続棒６２が、碍子７を介して、第５筐体２ｅと第６筐体２ｆと第７筐体２ｇに保持される例を示す（図１２参照）。
【０１２８】
（第１負荷試験制御部７０ａ、第２負荷試験制御部７０ｂ）
第１負荷試験制御部７０ａ、及び第２負荷試験制御部７０ｂの構成について説明する。
第１負荷試験制御部７０ａは、第１操作部７１、第１電源端子部７３、第１制御端子部７５、第１電力供給制御部７７を有する。
第１操作部７１、第１電源端子部７３、第１制御端子部７５、第１電力供給制御部７７は、第４筐体２ｄに収納される。
第２負荷試験制御部７０ｂは、第２操作部７２、第２電源端子部７４、第２制御端子部７６、第２電力供給制御部７８を有する。
第２操作部７２、第２電源端子部７４、第２制御端子部７６、第２電力供給制御部７８は、第８筐体２ｈに収納される。
【０１２９】
第１抵抗部３０ａ〜第３抵抗部３０ｃのスイッチング装置（第１抵抗部側リレー部８１ａ〜第３抵抗部側リレー部８１ｃ）、第１冷却装置５３ａ〜第３冷却装置５３ｃ、第１電力供給制御部７７は、試験対象電源とは別の電源（負荷試験装置駆動用電源）で駆動される（図２、図３参照）。
ただし、第１抵抗部３０ａ〜第３抵抗部３０ｃのスイッチング装置（第１抵抗部側リレー部８１ａ〜第３抵抗部側リレー部８１ｃ）、第１冷却装置５３ａ〜第３冷却装置５３ｃ、第１電力供給制御部７７が、試験対象電源で駆動されてもよい。
【０１３０】
第１リアクトル６０ａ〜第３リアクトル６０ｃのスイッチング装置（第１リアクトル側リレー部８２ａ〜第３リアクトル側リレー部８２ｃ）、第２電力供給制御部７８は、試験対象電源とは別の電源（負荷試験装置駆動用電源）で駆動される（図４、図５参照）。
ただし、第１リアクトル６０ａ〜第３リアクトル６０ｃのスイッチング装置（第１リアクトル側リレー部８２ａ〜第３リアクトル側リレー部８２ｃ）、第２電力供給制御部７８が、試験対象電源で駆動されてもよい。
【０１３１】
第１操作部７１の操作、第２操作部７２の操作、第１操作部７１と負荷試験装置駆動用電源とのケーブル接続、第１電源端子部７３と試験対象電源とのケーブル接続、第１電源端子部７３と第２電源端子部７４のケーブル接続、第１操作部７１と第２操作部７２のケーブル接続は、第４筐体２ｄに設けられた第１の扉２ｄ１及び第８筐体２ｈに設けられた第２の扉２ｈ１を空けた状態で行われる（図１参照）。
【０１３２】
（第１操作部７１）
第１操作部７１は、モードスイッチ、ファンスイッチ、操作スイッチを有する（不図示）。
【０１３３】
モードスイッチは、回転式、若しくはスライド式（若しくはトグル式若しくは押しボタン式）の操作スイッチで、負荷試験装置１のオンオフを選択するために使用されるが、さらに試験対象電源の種類（高圧若しくは低圧）、抵抗器群の接続形式（直列若しくは並列）などを選択する（モード切替する）ためにも使用される形態であってもよい。
【０１３４】
なお、モードスイッチに抵抗器群の接続形式の選択用のものは設けずに、試験対象電源の種類を選択することとで、自動的に抵抗器群の接続形式が決定される形態であってもよい。
【０１３５】
負荷試験を行う場合には、モードスイッチをオンの操作位置に合わせる。負荷試験装置１をオフにする場合は、モードスイッチをオフの操作位置に合わせる。
【０１３６】
ファンスイッチは、スライド式（若しくはトグル式若しくは押しボタン式）の操作スイッチで、モードスイッチがオン状態で、第１冷却装置５３ａ〜第３冷却装置５３ｃのオンオフ制御を行うためのスイッチである。ファンスイッチを省略し、モードスイッチをオンの操作位置に合わせた時に、第１冷却装置５３ａ〜第３冷却装置５３ｃが動作する形態であってもよい。
【０１３７】
操作スイッチは、スライド式（若しくはトグル式若しくは押しボタン式）の操作スイッチで、負荷量の調整、すなわち、第１抵抗部３０ａの第１抵抗器群セット３１ａの抵抗器群のスイッチング装置（第１抵抗部側リレー部８１ａ）、第２抵抗部３０ｂの第２抵抗器群セット３１ｂの抵抗器群のスイッチング装置（第２抵抗部側リレー部８１ｂ）、第３抵抗部３０ｃの第３抵抗器群セット３１ｃの抵抗器群のスイッチング装置（第３抵抗部側リレー部８１ｃ）のオンオフ制御を行うためのスイッチである。
【０１３８】
第１操作部７１には、制御信号線５と接続するための端子が設けられる。
制御信号線５を介して、第１操作部７１のモードスイッチ、操作スイッチのオンオフ状態に関する情報が第２操作部７２に送信される。
【０１３９】
（第２操作部７２）
第２操作部７２は、第２負荷試験領域１ｂのオンオフスイッチを有する（不図示）。
第２負荷試験領域１ｂのオンオフスイッチは、スライド式（若しくはトグル式若しくは押しボタン式）の操作スイッチで、試験対象電源から第１負荷試験領域１ａを介して送られてきた電力の、第２負荷試験領域１ｂのリアクトル部６０への供給のオンオフ制御を行うためのスイッチである。
第２負荷試験領域１ｂのオンオフスイッチをオン状態にした場合に、リアクトル部６０への電力供給が可能な状態にされ、制御信号線５を介して第２操作部７２に送信された操作状態に関する情報に基づいて、リアクトル側リレー部８２のリレーのオンオフ制御が行われる。
【０１４０】
モードスイッチをオンの操作位置に合わせ、ファンスイッチをオンの操作位置に合わせた場合に、第１冷却装置５３ａ〜第３冷却装置５３ｃは駆動される。
モードスイッチと操作スイッチの少なくとも一方の操作状態に基づき、第１抵抗器群セット３１ａの抵抗器群に対応するスイッチング装置（第１抵抗部側リレー部８１ａ）、第２抵抗器群セット３１ｂの抵抗器群に対応するスイッチング装置（第２抵抗部側リレー部８１ｂ）、第３抵抗器群セット３１ｃの抵抗器群に対応するスイッチング装置（第３抵抗部側リレー部８１ｃ）のオンオフ制御が行われる。
また、モードスイッチと操作スイッチの少なくとも一方の操作状態に基づき、第１コイルグループ６１ａのコイルに対応するスイッチング装置（第１リアクトル側リレー部８２ａ）、第２コイルグループ６１ｂのコイルに対応するスイッチング装置（第２リアクトル側リレー部８２ｂ）、第３コイルグループ６１ｃのコイルに対応するスイッチング装置（第３リアクトル側リレー部８２ｃ）のオンオフ制御が行われる。
【０１４１】
例えば、試験対象電源が高圧の三相交流発電機である場合には、第１抵抗器群セット３１ａの第１１抵抗器群３１ａ１と第１２抵抗器群３１ａ２と第１３抵抗器群３１ａ３が直列に接続され、第２抵抗器群セット３１ｂの第２１抵抗器群３１ｂ１と第２２抵抗器群３１ｂ２と第２３抵抗器群３１ｂ３が直列に接続され、第３抵抗器群セット３１ｃの第３１抵抗器群３１ｃ１と第３２抵抗器群３１ｃ２と第３３抵抗器群３１ｃ３が直列に接続されるように、スイッチング装置のオンオフ制御が行われる（図１１参照）。
また、第１コイルグループ６１ａの第１１コイル６１ａ１と第１２コイル６１ａ２と第１３コイル６１ａ３が直列に接続され、第２コイルグループ６１ｂの第２１コイル６１ｂ１と第２２コイル６１ｂ２と第２３コイル６１ｂ３が直列に接続され、第３コイルグループ６１ｃの第３１コイル６１ｃ１と第３２コイル６１ｃ２と第３３コイル６１ｃ３が直列に接続されるように、スイッチング装置のオンオフ制御が行われる。
【０１４２】
この場合、第１２リレーＲ１２、第１４リレーＲ１４、第１７リレーＲ１７、第２２リレーＲ２２、第２４リレーＲ２４、第２７リレーＲ２７、第３２リレーＲ３２、第３４リレーＲ３４、第３７リレーＲ３７は、オン状態にされ、第１１リレーＲ１１、第１３リレーＲ１３、第１５リレーＲ１５、第１６リレーＲ１６、第２１リレーＲ２１、第２３リレーＲ２３、第２５リレーＲ２５、第２６リレーＲ２６、第３１リレーＲ３１、第３３リレーＲ３３、第３５リレーＲ３５、第３６リレーＲ３６は、オフ状態にされる。
また、第４２リレーＲ４２、第４４リレーＲ４４、第４７リレーＲ４７、第５２リレーＲ５２、第５４リレーＲ５４、第５７リレーＲ５７、第６２リレーＲ６２、第６４リレーＲ６４、第６７リレーＲ６７は、オン状態にされ、第４１リレーＲ４１、第４３リレーＲ４３、第４５リレーＲ４５、第４６リレーＲ４６、第５１リレーＲ５１、第５３リレーＲ５３、第５５リレーＲ５５、第５６リレーＲ５６、第６１リレーＲ６１、第６３リレーＲ６３、第６５リレーＲ６５、第６６リレーＲ６６は、オフ状態にされる。
【０１４３】
試験対象電源が低圧の三相交流発電機である場合には、第１抵抗器群セット３１ａの第１１抵抗器群３１ａ１と第１２抵抗器群３１ａ２と第１３抵抗器群３１ａ３が並列に接続され、第２抵抗器群セット３１ｂの第２１抵抗器群３１ｂ１と第２２抵抗器群３１ｂ２と第２３抵抗器群３１ｂ３が並列に接続され、第３抵抗器群セット３１ｃの第３１抵抗器群３１ｃ１と第３２抵抗器群３１ｃ２と第３３抵抗器群３１ｃ３が並列に接続されるように、スイッチング装置のオンオフ制御が行われる（図１４〜図１６参照）。
また、第１コイルグループ６１ａの第１１コイル６１ａ１と第１２コイル６１ａ２と第１３コイル６１ａ３が並列に接続され、第２コイルグループ６１ｂの第２１コイル６１ｂ１と第２２コイル６１ｂ２と第２３コイル６１ｂ３が並列に接続され、第３コイルグループ６１ｃの第３１コイル６１ｃ１と第３２コイル６１ｃ２と第３３コイル６１ｃ３が並列に接続されるように、スイッチング装置のオンオフ制御が行われる。
【０１４４】
この場合、第１２リレーＲ１２、第１４リレーＲ１４、第２２リレーＲ２２、第２４リレーＲ２４、第３２リレーＲ３２、第３４リレーＲ３４は、オフ状態にされ、第１１リレーＲ１１、第１３リレーＲ１３、第１５リレーＲ１５、第１６リレーＲ１６、第１７リレーＲ１７、第２１リレーＲ２１、第２３リレーＲ２３、第２５リレーＲ２５、第２６リレーＲ２６、第２７リレーＲ２７、第３１リレーＲ３１、第３３リレーＲ３３、第３５リレーＲ３５、第３６リレーＲ３６、第３７リレーＲ３７は、操作スイッチで設定された負荷に応じてオンオフ状態が切り替えられる。
また、第４２リレーＲ４２、第４４リレーＲ４４、第５２リレーＲ５２、第５４リレーＲ５４、第６２リレーＲ６２、第６４リレーＲ６４は、オフ状態にされ、第４１リレーＲ４１、第４３リレーＲ４３、第４５リレーＲ４５、第４６リレーＲ４６、第４７リレーＲ４７、第５１リレーＲ５１、第５３リレーＲ５３、第５５リレーＲ５５、第５６リレーＲ５６、第５７リレーＲ５７、第６１リレーＲ６１、第６３リレーＲ６３、第６５リレーＲ６５、第６６リレーＲ６６、第６７リレーＲ６７は、操作スイッチで設定された負荷に応じてオンオフ状態が切り替えられる。
【０１４５】
具体的には、低負荷の場合、第１３リレーＲ１３、第２３リレーＲ２３、第３３リレーＲ３３は、オン状態にされ、第１１リレーＲ１１、第１５リレーＲ１５、第１６リレーＲ１６、第１７リレーＲ１７、第２１リレーＲ２１、第２５リレーＲ２５、第２６リレーＲ２６、第２７リレーＲ２７、第３１リレーＲ３１、第３５リレーＲ３５、第３６リレーＲ３６、第３７リレーＲ３７は、オフ状態にされる（図１４参照）。
また、第４３リレーＲ４３、第５３リレーＲ５３、第６３リレーＲ６３は、オン状態にされ、第４１リレーＲ４１、第４５リレーＲ４５、第４６リレーＲ４６、第４７リレーＲ４７、第５１リレーＲ５１、第５５リレーＲ５５、第５６リレーＲ５６、第５７リレーＲ５７、第６１リレーＲ３１、第６５リレーＲ６５、第６６リレーＲ６６、第６７リレーＲ６７は、オフ状態にされる。
【０１４６】
低負荷よりも負荷が大きく、高負荷よりも負荷が小さい中程度の負荷の場合、第１１リレーＲ１１、第１３リレーＲ１３、第１６リレーＲ１６、第２１リレーＲ２１、第２３リレーＲ２３、第２６リレーＲ２６、第３１リレーＲ３１、第３３リレーＲ３３、第３６リレーＲ３６は、オン状態にされ、第１５リレーＲ１５、第１７リレーＲ３７、第２５リレーＲ２５、第２７リレーＲ２７、第３５リレーＲ３５、第３７リレーＲ３７は、オフ状態にされる（図１５参照）。
また、第４１リレーＲ４１、第４３リレーＲ４３、第４６リレーＲ４６、第５１リレーＲ５１、第５３リレーＲ５３、第５６リレーＲ５６、第６１リレーＲ６１、第６３リレーＲ６３、第６６リレーＲ６６は、オン状態にされ、第４５リレーＲ４５、第４７リレーＲ４７、第５５リレーＲ５５、第５７リレーＲ５７、第６５リレーＲ６５、第６７リレーＲ６７は、オフ状態にされる。
【０１４７】
高負荷の場合、第１１リレーＲ１１、第１３リレーＲ１３、第１５リレーＲ１５、第１６リレーＲ１６、第１７リレーＲ１７、第２１リレーＲ２１、第２３リレーＲ２３、第２５リレーＲ２５、第２６リレーＲ２６、第２７リレーＲ２７、第３１リレーＲ３１、第３３リレーＲ３３、第３５リレーＲ３５、第３６リレーＲ３６、第３７リレーＲ３７は、オン状態にされる（図１６参照）。
また、第４１リレーＲ４１、第４３リレーＲ４３、第４５リレーＲ４５、第４６リレーＲ４６、第４７リレーＲ４７、第５１リレーＲ５１、第５３リレーＲ５３、第５５リレーＲ５５、第５６リレーＲ５６、第５７リレーＲ５７、第６１リレーＲ６１、第６３リレーＲ６３、第６５リレーＲ６５、第６６リレーＲ６６、第６７リレーＲ６７は、オン状態にされる。
【０１４８】
（第１電源端子部７３）
第１電源端子部７３は、試験対象の電源を接続するための端子で、三相交流発電機と接続するために使用される第１Ｕ相端子Ｕ１、第１Ｖ相端子Ｖ１、第１Ｗ相端子Ｗ１を有する（図３参照）。
【０１４９】
三相交流発電機の負荷試験の場合に、三相交流発電機のＲ相、Ｓ相、Ｔ相からのケーブルが、それぞれ第１Ｕ相端子Ｕ１、第１Ｖ相端子Ｖ１、第１Ｗ相端子Ｗ１に接続される。
第１電源端子部７３は、第２負荷試験領域１ｂの第２電源端子部７４と接続するために使用される第２Ｕ相端子Ｕ２、第２Ｖ相端子Ｖ２、第２Ｗ相端子Ｗ２を有する。
【０１５０】
（第２電源端子部７４）
第２電源端子部７４は、第１負荷試験領域１ａの第１電源端子部７３と接続するために使用される第３Ｕ相端子Ｕ３、第３Ｖ相端子Ｖ３、第３Ｗ相端子Ｗ３を有する（図５参照）。
三相交流発電機のＲ相からの電力は、第１Ｕ相端子Ｕ１と第２Ｕ相端子Ｕ２と第３Ｕ相端子Ｕ３を介して、第２負荷試験領域１ｂの第１リアクトル６０ａに供給される。
三相交流発電機のＳ相からの電力は、第１Ｖ相端子Ｖ１と第２Ｖ相端子Ｖ２と第３Ｖ相端子Ｖ３を介して、第２負荷試験領域１ｂの第２リアクトル６０ｂに供給される。
三相交流発電機のＴ相からの電力は、第１Ｗ相端子Ｗ１と第２Ｗ相端子Ｗ２と第３Ｗ相端子Ｗ３を介して、第２負荷試験領域１ｂの第１リアクトル６０ａに供給される。
【０１５１】
（第１制御端子部７５）
第１制御端子部７５は、抵抗部側リレー部８１のスイッチング装置（第１抵抗部側リレー部８１ａ、第２抵抗部側リレー部８１ｂ、第３抵抗部側リレー部８１ｃ）との制御線４を接続させる端子を有する（図３参照）。
【０１５２】
第１制御端子部７５が、制御線４を介して、抵抗部側リレー部８１のスイッチング装置（第１抵抗部側リレー部８１ａ、第２抵抗部側リレー部８１ｂ、第３抵抗部側リレー部８１ｃ）と接続された場合に、操作スイッチのオンオフ状態に応じて、第１抵抗部側リレー部８１ａ、第２抵抗部側リレー部８１ｂ、第３抵抗部側リレー部８１ｃのオンオフ制御が行われる。
【０１５３】
モードスイッチがオン状態で、操作スイッチの幾つかをオン状態にし、他の操作スイッチをオフ状態にすると、第１抵抗部側リレー部８１ａと第２抵抗部側リレー部８１ｂと第３抵抗部側リレー部８１ｃのスイッチング装置のうちオン状態にした操作スイッチに対応するものがオン状態にされ、他のスイッチング装置はオフ状態にされる。
【０１５４】
このときに、三相交流発電機のＲ相、Ｓ相、Ｔ相からのケーブルを、それぞれ第１Ｕ相端子Ｕ１、第１Ｖ相端子Ｖ１、第１Ｗ相端子Ｗ１に接続していると、三相交流発電機のＲ相からの電流が、第１抵抗器群セット３１ａの抵抗器群のうち、モードスイッチ及び／若しくはオン状態にした操作スイッチに対応するものに流れうる状態にされ、三相交流発電機のＳ相からの電流が、第２抵抗器群セット３１ｂの抵抗器群のうち、モードスイッチ及び／若しくはオン状態にした操作スイッチに対応するものに流れうる状態にされ、三相交流発電機のＴ相からの電流が、第３抵抗器群セット３１ｃの抵抗器群のうち、モードスイッチ及び／若しくはオン状態にした操作スイッチに対応するものに流れうる状態にされる。
【０１５５】
（第２制御端子部７６）
第２制御端子部７６は、リアクトル側リレー部８２のスイッチング装置（第１リアクトル側リレー部８２ａ、第２リアクトル側リレー部８２ｂ、第３リアクトル側リレー部８２ｃ）との制御線４を接続させる端子を有する（図５参照）。
【０１５６】
第２制御端子部７６が、制御線４を介して、リアクトル側リレー部８２のスイッチング装置（第１リアクトル側リレー部８２ａ、第２リアクトル側リレー部８２ｂ、第３リアクトル側リレー部８２ｃ）と接続された場合に、第１操作部７１の操作スイッチのオンオフ状態に応じて、第１リアクトル側リレー部８２ａ、第２リアクトル側リレー部８２ｂ、第３リアクトル側リレー部８２ｃのオンオフ制御が行われる。
【０１５７】
モードスイッチがオン状態で、第１操作部７１の操作スイッチの幾つかをオン状態にし、他の操作スイッチをオフ状態にすると、第１リアクトル側リレー部８２ａと第２リアクトル側リレー部８２ｂと第３リアクトル側リレー部８２ｃのスイッチング装置のうちオン状態にした操作スイッチに対応するものがオン状態にされ、他のスイッチング装置はオフ状態にされる。
【０１５８】
このときに、三相交流発電機のＲ相、Ｓ相、Ｔ相からのケーブルを、それぞれ第１Ｕ相端子Ｕ１、第１Ｖ相端子Ｖ１、第１Ｗ相端子Ｗ１に接続し、第２Ｕ相端子Ｕ２からのケーブルを第３Ｕ相端子Ｕ３に接続し、第２Ｖ相端子Ｖ２からのケーブルを第２Ｖ相端子Ｖ２に接続し、第２Ｗ相端子Ｗ２からのケーブルを第３Ｗ相端子Ｗ３に接続していると、三相交流発電機のＲ相からの電流が、第１コイルグループ６１ａのコイルのうち、モードスイッチ及び／若しくはオン状態にした操作スイッチに対応するものに流れうる状態にされ、三相交流発電機のＳ相からの電流が、第２コイルグループ６１ｂのコイルのうち、モードスイッチ及び／若しくはオン状態にした操作スイッチに対応するものに流れうる状態にされ、三相交流発電機のＴ相からの電流が、第３コイルグループ６１ｃのコイルのうち、モードスイッチ及び／若しくはオン状態にした操作スイッチに対応するものに流れうる状態にされる。
【０１５９】
（第１電力供給制御部７７）
第１電力供給制御部７７は、真空遮断機など、モードスイッチ及びファンスイッチのオンオフ状態に応じて、試験対象電源から第１抵抗部３０ａ〜第３抵抗部３０ｃへの電力供給を制御する装置である。第１電力供給制御部７７は、モードスイッチとファンスイッチの少なくとも一方がオフのときに、電力供給を遮断する。
【０１６０】
具体的には、第１電力供給制御部７７は、第１Ｕ相端子Ｕ１から、第１抵抗器群セット３１ａの抵抗器に延びる、第１Ｖ相端子Ｖ１から、第２抵抗器群セット３１ｂの抵抗器に延びる線、第１Ｗ相端子Ｗ１から、第３抵抗器群セット３１ｃの抵抗器に延びる線に配置され、リレー（不図示）を介して、モードスイッチとファンスイッチの少なくとも一方がオフ状態にされている場合に、これらの３線を遮断する。
【０１６１】
（第２電力供給制御部７８）
第２電力供給制御部７８は、真空遮断機など、第１操作部７１のモードスイッチ及びファンスイッチのオンオフ状態及び第２操作部７２のオンオフスイッチのオンオフ状態に応じて、試験対象電源から第１リアクトル６０ａ〜第３リアクトル６０ｃへの電力供給を制御する装置である。第２電力供給制御部７８は、第１操作部７１のモードスイッチとファンスイッチと第２操作部７２のオンオフスイッチの少なくとも一方がオフのときに、電力供給を遮断する。
【０１６２】
具体的には、第２電力供給制御部７８は、第３Ｕ相端子Ｕ３から、第１コイルグループ６１ａのコイルに延びる線、第３Ｖ相端子Ｖ３から、第２コイルグループ６１ｂのコイルに延びる線、第３Ｗ相端子Ｗ３から、第３コイルグループ６１ｃの抵抗器に延びる線に配置され、リレー（不図示）を介して、第１操作部７１のモードスイッチとファンスイッチ及び第２操作部７２のオンオフスイッチの少なくとも一方がオフ状態にされている場合に、これらの３線を遮断する。
【０１６３】
（抵抗部側リレー部８１と第１負荷試験制御部７０ａとの接続）
第１抵抗部側リレー部８１ａ（第１１リレーＲ１１、第１２リレーＲ１２、第１３リレーＲ１３、第１４リレーＲ１４、第１５リレーＲ１５、第１６リレーＲ１６、第１７リレーＲ１７）は、制御線４を介して、第１負荷試験制御部７０ａの第１制御端子部７５に接続される。第１抵抗部側リレー部８１ａのオンオフ制御は、第１負荷試験制御部７０ａの第１操作部７１のモードスイッチ及び操作スイッチの操作に対応して行われる。
第２抵抗部側リレー部８１ｂ（第２１リレーＲ２１、第２２リレーＲ２２、第２３リレーＲ２３、第２４リレーＲ２４、第２５リレーＲ２５、第２６リレーＲ２６、第２７リレーＲ２７）は、制御線４を介して、第１負荷試験制御部７０ａの第１制御端子部７５に接続される。第２抵抗部側リレー部８１ｂのオンオフ制御は、第１負荷試験制御部７０ａの第１操作部７１のモードスイッチ及び操作スイッチの操作に対応して行われる。
第３抵抗部側リレー部８１ｃ（第３１リレーＲ３１、第３２リレーＲ３２、第３３リレーＲ３３、第３４リレーＲ３４、第３５リレーＲ３５、第３６リレーＲ３６、第３７リレーＲ３７）は、制御線４を介して、第１負荷試験制御部７０ａの第１制御端子部７５に接続される。第３抵抗部側リレー部８１ｃのオンオフ制御は、第１負荷試験制御部７０ａの第１操作部７１のモードスイッチ及び操作スイッチの操作に対応して行われる。
【０１６４】
（リアクトル側リレー部８２と第２負荷試験制御部７０ｂとの接続）
第１リアクトル側リレー部８２ａ（第４１リレーＲ４１、第４２リレーＲ４２、第４３リレーＲ４３、第４４リレーＲ４４、第４５リレーＲ４５、第４６リレーＲ４６、第４７リレーＲ４７）は、制御線４を介して、第２負荷試験制御部７０ｂの第２制御端子部７６に接続される。第１リアクトル側リレー部８２ａのオンオフ制御は、第１負荷試験制御部７０ａの第１操作部７１のモードスイッチ及び操作スイッチの操作に対応して行われる。
第２リアクトル側リレー部８２ｂ（第５１リレーＲ５１、第５２リレーＲ５２、第５３リレーＲ５３、第５４リレーＲ５４、第５５リレーＲ５５、第５６リレーＲ５６、第５７リレーＲ５７）は、制御線４を介して、第２負荷試験制御部７０ｂの第２制御端子部７６に接続される。第２リアクトル側リレー部８２ｂのオンオフ制御は、第１負荷試験制御部７０ａの第１操作部７１のモードスイッチ及び操作スイッチの操作に対応して行われる。
第３リアクトル側リレー部８２ｃ（第６１リレーＲ６１、第６２リレーＲ６２、第６３リレーＲ６３、第６４リレーＲ６４、第６５リレーＲ６５、第６６リレーＲ６６、第６７リレーＲ６７）は、制御線４を介して、第２負荷試験制御部７０ｂの第２制御端子部７６に接続される。第３リアクトル側リレー部８２ｃのオンオフ制御は、第１負荷試験制御部７０ａの第１操作部７１のモードスイッチ及び操作スイッチの操作に対応して行われる。
【０１６５】
（第１空気循環部９０ａ）
第１空気循環部９０ａの構成について説明する。
第１空気循環部９０ａのうち、第１発電部９１ａと第１制御部９３ａと第１吸気部９５ａと第１送風部９６ａと第１排気部９７ａは、第１筐体２ａに設けられる。
第１空気循環部９０ａのうち、第２発電部９１ｂと第２制御部９３ｂと第２吸気部９５ｂと第２送風部９６ｂと第２排気部９７ｂは、第２筐体２ｂに設けられる。
第１空気循環部９０ａのうち、第３発電部９１ｃと第３制御部９３ｃと第３吸気部９５ｃと第３送風部９６ｃと第３排気部９７ｃは、第３筐体２ｃに設けられる。
第１空気循環部９０ａのうち、第４発電部９１ｄと第４制御部９３ｄと第４吸気部９５ｄと第４送風部９６ｄと第４排気部９７ｄは、第４筐体２ｄに設けられる。
【０１６６】
後述するように、第１発電部９１ａなど第１空気循環部９０ａの電気機器は、第１負荷試験部〜第３負荷試験部とは、別系統であり、電気的な接続はされない。
【０１６７】
ただし、負荷試験装置１の第１負荷試験部〜第３負荷試験部の使用時に、第１空気循環部９０ａの第１送風部９６ａなどが動作しないように、第１操作部７１のモードスイッチのオンオフ状態に、第１送風部９６ａなどのオンオフ状態が連動するように構成されてもよい。
具体的には、第１操作部７１のモードスイッチがオフ状態の時に、第１制御部９３ａ〜第４制御部９３ｄ、第１吸気部９５ａ〜第４吸気部９５ｄ、第１送風部９６ａ〜第４送風部９６ｄ、第１排気部９７ａ〜第４排気部９７ｄが動作可能な状態にされる。
また、第１操作部７１のモードスイッチがオン状態の時に、第１制御部９３ａ〜第４制御部９３ｄ、第１吸気部９５ａ〜第４吸気部９５ｄ、第１送風部９６ａ〜第４送風部９６ｄ、第１排気部９７ａ〜第４排気部９７ｄがオフ状態にされる。
第１操作部７１のモードスイッチのオンオフ状態の検知は、第１制御部９３ａ〜第４制御部９３ｄに含まれるセンサーによる振動検知で行われる。例えば、第１制御部９３ａによって、第１負荷試験部がオフ状態であると検知された時に、第１筐体２ａの内部の情報などに基づいて、第１送風部９６ａは動作する。
また、第１操作部７１のモードスイッチのオンオフ状態の検知は、第１操作部７１と第１制御部９３ａなどとの間の電気的な接続で行われてもよい。
【０１６８】
（第１発電部９１ａ）
第１発電部９１ａは、太陽光などの光を電気に変換する発電装置である。
第１発電部９１ａは、第１筐体２ａの第１排気蓋３３ａの上面に設けられる。
ただし、第１排気蓋３３ａを省略し、第１発電部９１ａが、第１筐体２ａの第１上面開口２ａ１の蓋として用いられてもよい。
第１発電部９１ａは、発電により得られた電力を、第１制御部９３ａ、第１吸気部９５ａ、第１送風部９６ａ、第１排気部９７ａに供給する。
第１制御部９３ａなどは、発電により得られた電力を蓄積するバッテリーなどの蓄電装置を有してもよい。
【０１６９】
（第１制御部９３ａ）
第１制御部９３ａは、第１筐体２ａの内部の情報（温度、湿度、埃の粒子量、特定のガスの濃度、振動など）を検知するセンサーを含む。
本実施形態では、第１制御部９３ａで得られた情報に基づいて、第１吸気部９５ａ、第１送風部９６ａ、第１排気部９７ａが動作する。具体的には、第１制御部９３ａで得られた、第１筐体２ａの内部の温度が温度閾値以上に高い場合、若しくは第１筐体２ａの内部の湿度が湿度閾値以上に高い場合、若しくは第１筐体２ａの内部の埃の粒子量が粒子量閾値以上に多い場合、若しくは第１筐体２ａの内部の特定のガスの濃度がガス濃度閾値以上に高い場合に、第１吸気部９５ａ、第１送風部９６ａ、第１排気部９７ａが動作する。
【０１７０】
（他の情報に基づいて動作）
なお、第１制御部９３ａのセンサーで得られた情報に加えて、若しくは、第１制御部９３ａのセンサーで得られた情報に代えて、他の情報に基づいて第１吸気部９５ａ、第１送風部９６ａ、第１排気部９７ａが動作してもよい。
例えば、時間情報に基づいて、第１吸気部９５ａ、第１送風部９６ａ、第１排気部９７ａが動作してもよい。この場合、第１制御部９３ａには、バッテリーと時間情報を計測するタイマーが設けられる。また、所定の日時になった時、若しくは所定の時間間隔ごとに、第１制御部９３ａは、第１吸気部９５ａ、第１送風部９６ａ、第１排気部９７ａを動作させる。
また、第１筐体２ａの周囲の情報（第１負荷試験領域１ａの外部の温度、湿度、埃の粒子量、特定のガスの濃度など）に基づいて、第１吸気部９５ａ、第１送風部９６ａ、第１排気部９７ａが動作してもよい。
【０１７１】
（通信部による情報発信）
また、第１制御部９３ａが外部の装置に情報発信を行う通信部を含み、第１吸気部９５ａ、第１送風部９６ａ、第１排気部９７ａが動作して、所定の時間が経過した後でも、温度情報が温度閾値以上に高い状態、若しくは湿度情報が湿度閾値以上に高い状態が続く場合は、当該通信部が警告情報を外部の装置に送信してもよい。
【０１７２】
（第１吸気部９５ａ）
第１吸気部９５ａは、第１筐体２ａの背面の不使用時吸気用の開口（第１不使用時吸気開口２ａ３）に設けられる。
第１吸気部９５ａは、ガラリなどの開閉扉を含み、第１不使用時吸気開口２ａ３の開閉を行う。
負荷試験を行う時、すなわち、第１負荷試験部の第１負荷試験領域１ａにあるものの使用時、第１筐体２ａの第１不使用時吸気開口２ａ３から空気が流入出来ないように、第１吸気部９５ａが閉状態にされる（図６参照）。
負荷試験を行わない時、すなわち、第１負荷試験部の第１負荷試験領域１ａにあるものの不使用時、第１筐体２ａの第１不使用時吸気開口２ａ３から空気が流入出来るように、第１吸気部９５ａが開状態にされる（図７参照）。
第１吸気部９５ａの開閉は電動で行われる。ただし、第１吸気部９５ａの開閉扉は、付勢により閉状態となるように付勢されていて、第１送風部９６ａの風により開状態にされる形態であってもよい。
【０１７３】
（第１送風部９６ａ）
第１送風部９６ａは、ファンなど、風を排出する送風装置を含み、第１不使用時吸気開口２ａ３を介して取り込んだ空気を、第１筐体２ａの内部に送り込む。
第１送風部９６ａによって送り込まれた空気は、第１筐体２ａの内部を通り、第１不使用時排気開口２ａ４から排出される（図７と図８の太線矢印線参照）。
第１送風部９６ａは、第１吸気部９５ａの近傍に設けられるのが望ましいが、他の場所、例えば、第１排気部９７ａの近傍に設けられてもよい。
【０１７４】
（第１排気部９７ａ）
第１排気部９７ａは、ガラリなどの開閉扉を含み、第１不使用時排気開口２ａ４の開閉を行う。
負荷試験を行う時、すなわち、第１負荷試験部の第１負荷試験領域１ａにあるものの使用時、第１筐体２ａの第１不使用時排気開口２ａ４から空気が排出出来ないように、第１排気部９７ａが閉状態にされる。
負荷試験を行わない時、すなわち、第１負荷試験部の第１負荷試験領域１ａにあるものの不使用時、第１筐体２ａの第１不使用時排気開口２ａ４から空気が排出出来るように、第１排気部９７ａが開状態にされる（図８参照）。
第１排気部９７ａの開閉は電動で行われる。ただし、第１排気部９７ａの開閉扉は、付勢により閉状態となるように付勢されていて、第１送風部９６ａの風により開状態にされる形態であってもよい。
【０１７５】
（第２発電部９１ｂ）
第２発電部９１ｂは、太陽光などの光を電気に変換する発電装置である。
第２発電部９１ｂは、第２筐体２ｂの第２排気蓋３３ｂの上面に設けられる。
ただし、第２排気蓋３３ｂを省略し、第２発電部９１ｂが、第２筐体２ｂの第２上面開口２ｂ１の蓋として用いられてもよい。
第２発電部９１ｂは、発電により得られた電力を、第２制御部９３ｂ、第２吸気部９５ｂ、第２送風部９６ｂ、第２排気部９７ｂに供給する。
第２制御部９３ｂなどは、発電により得られた電力を蓄積するバッテリーなどの蓄電装置を有してもよい。
【０１７６】
（第２制御部９３ｂ）
第２制御部９３ｂは、第２筐体２ｂの内部の情報（温度、湿度、埃の粒子量、特定のガスの濃度、振動など）を検知するセンサーを含む。
本実施形態では、第２制御部９３ｂで得られた情報に基づいて、第２吸気部９５ｂ、第２送風部９６ｂ、第２排気部９７ｂが動作する。具体的には、第２制御部９３ｂで得られた、第２筐体２ｂの内部の温度が温度閾値以上に高い場合、若しくは第２筐体２ｂの内部の湿度が湿度閾値以上に高い場合、若しくは第２筐体２ｂの内部の埃の粒子量が粒子量閾値以上に多い場合、若しくは第２筐体２ｂの内部の特定のガスの濃度がガス濃度閾値以上に高い場合に、第２吸気部９５ｂ、第２送風部９６ｂ、第２排気部９７ｂが動作する。
【０１７７】
（他の情報に基づいて動作）
なお、第２制御部９３ｂのセンサーで得られた情報に加えて、若しくは、第２制御部９３ｂのセンサーで得られた情報に代えて、他の情報に基づいて第２吸気部９５ｂ、第２送風部９６ｂ、第２排気部９７ｂが動作してもよい。
例えば、時間情報に基づいて、第２吸気部９５ｂ、第２送風部９６ｂ、第２排気部９７ｂが動作してもよい。この場合、第２制御部９３ｂには、バッテリーと時間情報を計測するタイマーが設けられる。また、所定の日時になった時、若しくは所定の時間間隔ごとに、第２制御部９３ｂは、第２吸気部９５ｂ、第２送風部９６ｂ、第２排気部９７ｂを動作させる。
また、第２筐体２ｂの周囲の情報（第１負荷試験領域１ａの外部の温度、湿度、埃の粒子量、特定のガスの濃度など）に基づいて、第２吸気部９５ｂ、第２送風部９６ｂ、第２排気部９７ｂが動作してもよい。
【０１７８】
（通信部による情報発信）
また、第２制御部９３ｂが外部の装置に情報発信を行う通信部を含み、第２吸気部９５ｂ、第２送風部９６ｂ、第２排気部９７ｂが動作して、所定の時間が経過した後でも、温度情報が温度閾値以上に高い状態、若しくは湿度情報が湿度閾値以上に高い状態が続く場合は、当該通信部が警告情報を外部の装置に送信してもよい。
【０１７９】
（第２吸気部９５ｂ）
第２吸気部９５ｂは、第２筐体２ｂの背面の不使用時吸気用の開口（第２不使用時吸気開口２ｂ３）に設けられる。
第２吸気部９５ｂは、ガラリなどの開閉扉を含み、第２不使用時吸気開口２ｂ３の開閉を行う。
負荷試験を行う時、すなわち、第２負荷試験部の第１負荷試験領域１ａにあるものの使用時、第２筐体２ｂの第２不使用時吸気開口２ｂ３から空気が流入出来ないように、第２吸気部９５ｂが閉状態にされる（図６参照）。
負荷試験を行わない時、すなわち、第２負荷試験部の第１負荷試験領域１ａにあるものの不使用時、第２筐体２ｂの第２不使用時吸気開口２ｂ３から空気が流入出来るように、第２吸気部９５ｂが開状態にされる（図７参照）。
第２吸気部９５ｂの開閉は電動で行われる。ただし、第２吸気部９５ｂの開閉扉は、付勢により閉状態となるように付勢されていて、第２送風部９６ｂの風により開状態にされる形態であってもよい。
【０１８０】
（第２送風部９６ｂ）
第２送風部９６ｂは、ファンなど、風を排出する送風装置を含み、第２不使用時吸気開口２ｂ３を介して取り込んだ空気を、第２筐体２ｂの内部に送り込む。
第２送風部９６ｂによって送り込まれた空気は、第２筐体２ｂの内部を通り、第２不使用時排気開口２ｂ４から排出される（図７と図８の太線矢印線参照）。
第２送風部９６ｂは、第２吸気部９５ｂの近傍に設けられるのが望ましいが、他の場所、例えば、第２排気部９７ｂの近傍に設けられてもよい。
【０１８１】
（第２排気部９７ｂ）
第２排気部９７ｂは、ガラリなどの開閉扉を含み、第２不使用時排気開口２ｂ４の開閉を行う。
負荷試験を行う時、すなわち、第２負荷試験部の第１負荷試験領域１ａにあるものの使用時、第２筐体２ｂの第２不使用時排気開口２ｂ４から空気が排出出来ないように、第２排気部９７ｂが閉状態にされる。
負荷試験を行わない時、すなわち、第２負荷試験部の第１負荷試験領域１ａにあるものの不使用時、第２筐体２ｂの第２不使用時排気開口２ｂ４から空気が排出出来るように、第２排気部９７ｂが開状態にされる（図８参照）。
第２排気部９７ｂの開閉は電動で行われる。ただし、第２排気部９７ｂの開閉扉は、付勢により閉状態となるように付勢されていて、第２送風部９６ｂの風により開状態にされる形態であってもよい。
【０１８２】
（第３発電部９１ｃ）
第３発電部９１ｃは、太陽光などの光を電気に変換する発電装置である。
第３発電部９１ｃは、第３筐体２ｃの第３排気蓋３３ｃの上面に設けられる。
ただし、第３排気蓋３３ｃを省略し、第３発電部９１ｃが、第３筐体２ｃの第３上面開口２ｃ１の蓋として用いられてもよい。
第３発電部９１ｃは、発電により得られた電力を、第３制御部９３ｃ、第３吸気部９５ｃ、第３送風部９６ｃ、第３排気部９７ｃに供給する。
第３制御部９３ｃなどは、発電により得られた電力を蓄積するバッテリーなどの蓄電装置を有してもよい。
【０１８３】
（第３制御部９３ｃ）
第３制御部９３ｃは、第３筐体２ｃの内部の情報（温度、湿度、埃の粒子量、特定のガスの濃度、振動など）を検知するセンサーを含む。
本実施形態では、第３制御部９３ｃで得られた情報に基づいて、第３吸気部９５ｃ、第３送風部９６ｃ、第３排気部９７ｃが動作する。具体的には、第３制御部９３ｃで得られた、第３筐体２ｃの内部の温度が温度閾値以上に高い場合、若しくは第３筐体２ｃの内部の湿度が湿度閾値以上に高い場合、若しくは第３筐体２ｃの内部の埃の粒子量が粒子量閾値以上に多い場合、若しくは第３筐体２ｃの内部の特定のガスの濃度がガス濃度閾値以上に高い場合に、第３吸気部９５ｃ、第３送風部９６ｃ、第３排気部９７ｃが動作する。
【０１８４】
（他の情報に基づいて動作）
なお、第３制御部９３ｃのセンサーで得られた情報に加えて、若しくは、第３制御部９３ｃのセンサーで得られた情報に代えて、他の情報に基づいて第３吸気部９５ｃ、第３送風部９６ｃ、第３排気部９７ｃが動作してもよい。
例えば、時間情報に基づいて、第３吸気部９５ｃ、第３送風部９６ｃ、第３排気部９７ｃが動作してもよい。この場合、第３制御部９３ｃには、バッテリーと時間情報を計測するタイマーが設けられる。また、所定の日時になった時、若しくは所定の時間間隔ごとに、第３制御部９３ｃは、第３吸気部９５ｃ、第３送風部９６ｃ、第３排気部９７ｃを動作させる。
また、第３筐体２ｃの周囲の情報（第１負荷試験領域１ａの外部の温度、湿度、埃の粒子量、特定のガスの濃度など）に基づいて、第３吸気部９５ｃ、第３送風部９６ｃ、第３排気部９７ｃが動作してもよい。
【０１８５】
（通信部による情報発信）
また、第３制御部９３ｃが外部の装置に情報発信を行う通信部を含み、第３吸気部９５ｃ、第３送風部９６ｃ、第３排気部９７ｃが動作して、所定の時間が経過した後でも、温度情報が温度閾値以上に高い状態、若しくは湿度情報が湿度閾値以上に高い状態が続く場合は、当該通信部が警告情報を外部の装置に送信してもよい。
【０１８６】
（第３吸気部９５ｃ）
第３吸気部９５ｃは、第３筐体２ｃの背面の不使用時吸気用の開口（第３不使用時吸気開口２ｃ３）に設けられる。
第３吸気部９５ｃは、ガラリなどの開閉扉を含み、第３不使用時吸気開口２ｃ３の開閉を行う。
負荷試験を行う時、すなわち、第３負荷試験部の第１負荷試験領域１ａにあるものの使用時、第３筐体２ｃの第３不使用時吸気開口２ｃ３から空気が流入出来ないように、第３吸気部９５ｃが閉状態にされる（図６参照）。
負荷試験を行わない時、すなわち、第３負荷試験部の第１負荷試験領域１ａにあるものの不使用時、第３筐体２ｃの第３不使用時吸気開口２ｃ３から空気が流入出来るように、第３吸気部９５ｃが開状態にされる（図７参照）。
第３吸気部９５ｃの開閉は電動で行われる。ただし、第３吸気部９５ｃの開閉扉は、付勢により閉状態となるように付勢されていて、第３送風部９６ｃの風により開状態にされる形態であってもよい。
【０１８７】
（第３送風部９６ｃ）
第３送風部９６ｃは、ファンなど、風を排出する送風装置を含み、第３不使用時吸気開口２ｃ３を介して取り込んだ空気を、第３筐体２ｃの内部に送り込む。
第３送風部９６ｃによって送り込まれた空気は、第３筐体２ｃの内部を通り、第３不使用時排気開口２ｃ４から排出される（図７と図８の太線矢印線参照）。
第３送風部９６ｃは、第３吸気部９５ｃの近傍に設けられるのが望ましいが、他の場所、例えば、第３排気部９７ｃの近傍に設けられてもよい。
【０１８８】
（第３排気部９７ｃ）
第３排気部９７ｃは、ガラリなどの開閉扉を含み、第３不使用時排気開口２ｃ４の開閉を行う。
負荷試験を行う時、すなわち、第３負荷試験部の第１負荷試験領域１ａにあるものの使用時、第３筐体２ｃの第３不使用時排気開口２ｃ４から空気が排出出来ないように、第３排気部９７ｃが閉状態にされる。
負荷試験を行わない時、すなわち、第３負荷試験部の第１負荷試験領域１ａにあるものの不使用時、第３筐体２ｃの第３不使用時排気開口２ｃ４から空気が排出出来るように、第３排気部９７ｃが開状態にされる（図８参照）。
第３排気部９７ｃの開閉は電動で行われる。ただし、第３排気部９７ｃの開閉扉は、付勢により閉状態となるように付勢されていて、第３送風部９６ｃの風により開状態にされる形態であってもよい。
【０１８９】
（第４発電部９１ｄ）
第４発電部９１ｄは、太陽光などの光を電気に変換する発電装置である。
第４発電部９１ｄは、第４筐体２ｄの上面に設けられる。
第４発電部９１ｄは、発電により得られた電力を、第４制御部９３ｄ、第４吸気部９５ｄ、第４送風部９６ｄ、第４排気部９７ｄに供給する。
第４制御部９３ｄなどは、発電により得られた電力を蓄積するバッテリーなどの蓄電装置を有してもよい。
【０１９０】
（第４制御部９３ｄ）
第４制御部９３ｄは、第４筐体２ｄの内部の情報（温度、湿度、埃の粒子量、特定のガスの濃度、振動など）を検知するセンサーを含む。
本実施形態では、第４制御部９３ｄで得られた情報に基づいて、第４吸気部９５ｄ、第４送風部９６ｄ、第４排気部９７ｄが動作する。具体的には、第４制御部９３ｄで得られた、第４筐体２ｄの内部の温度が温度閾値以上に高い場合、若しくは第４筐体２ｄの内部の湿度が湿度閾値以上に高い場合、若しくは第４筐体２ｄの内部の埃の粒子量が粒子量閾値以上に多い場合、若しくは第４筐体２ｄの内部の特定のガスの濃度がガス濃度閾値以上に高い場合に、第４吸気部９５ｄ、第４送風部９６ｄ、第４排気部９７ｄが動作する。
【０１９１】
（他の情報に基づいて動作）
なお、第４制御部９３ｄのセンサーで得られた情報に加えて、若しくは、第４制御部９３ｄのセンサーで得られた情報に代えて、他の情報に基づいて第４吸気部９５ｄ、第４送風部９６ｄ、第４排気部９７ｄが動作してもよい。
例えば、時間情報に基づいて、第４吸気部９５ｄ、第４送風部９６ｄ、第４排気部９７ｄが動作してもよい。この場合、第４制御部９３ｄには、バッテリーと時間情報を計測するタイマーが設けられる。また、所定の日時になった時、若しくは所定の時間間隔ごとに、第４制御部９３ｄは、第４吸気部９５ｄ、第４送風部９６ｄ、第４排気部９７ｄを動作させる。
また、第４筐体２ｄの周囲の情報（第１負荷試験領域１ａの外部の温度、湿度、埃の粒子量、特定のガスの濃度など）に基づいて、第４吸気部９５ｄ、第４送風部９６ｄ、第４排気部９７ｄが動作してもよい。
【０１９２】
（通信部による情報発信）
また、第４制御部９３ｄが外部の装置に情報発信を行う通信部を含み、第４吸気部９５ｄ、第４送風部９６ｄ、第４排気部９７ｄが動作して、所定の時間が経過した後でも、温度情報が温度閾値以上に高い状態、若しくは湿度情報が湿度閾値以上に高い状態が続く場合は、当該通信部が警告情報を外部の装置に送信してもよい。
【０１９３】
（第４吸気部９５ｄ）
第４吸気部９５ｄは、第４筐体２ｄの背面の不使用時吸気用の開口（第４不使用時吸気開口２ｄ３）に設けられる。
第４吸気部９５ｄは、ガラリなどの開閉扉を含み、第４不使用時吸気開口２ｄ３の開閉を行う。
負荷試験を行う時、すなわち、第１負荷試験部〜第３負荷試験部の第１負荷試験領域１ａにあるものの少なくとも１つの使用時、第４筐体２ｄの第４不使用時吸気開口２ｄ３から空気が流入出来ないように、第４吸気部９５ｄが閉状態にされる（図６参照）。
負荷試験を行わない時、すなわち、第１負荷試験部〜第３負荷試験部の第１負荷試験領域１ａにあるものの不使用時、第４筐体２ｄの第４不使用時吸気開口２ｄ３から空気が流入出来るように、第４吸気部９５ｄが開状態にされる（図７参照）。
第４吸気部９５ｄの開閉は電動で行われる。ただし、第４吸気部９５ｄの開閉扉は、付勢により閉状態となるように付勢されていて、第４送風部９６ｄの風により開状態にされる形態であってもよい。
【０１９４】
（第４送風部９６ｄ）
第４送風部９６ｄは、ファンなど、風を排出する送風装置を含み、第４不使用時吸気開口２ｄ３を介して取り込んだ空気を、第４筐体２ｄの内部に送り込む。
第４送風部９６ｄによって送り込まれた空気は、第４筐体２ｄの内部を通り、第４不使用時排気開口２ｄ４から排出される（図７と図８の太線矢印線参照）。
第４送風部９６ｄは、第４吸気部９５ｄの近傍に設けられるのが望ましいが、他の場所、例えば、第４排気部９７ｄの近傍に設けられてもよい。
【０１９５】
（第４排気部９７ｄ）
第４排気部９７ｄは、ガラリなどの開閉扉を含み、第４不使用時排気開口２ｄ４の開閉を行う。
負荷試験を行う時、すなわち、第１負荷試験部〜第３負荷試験部の第１負荷試験領域１ａにあるものの少なくとも１つの使用時、第４筐体２ｄの第４不使用時排気開口２ｄ４から空気が排出出来ないように、第４排気部９７ｄが閉状態にされる。
負荷試験を行わない時、すなわち、第１負荷試験部〜第３負荷試験部の第１負荷試験領域１ａにあるものの不使用時、第４筐体２ｄの第４不使用時排気開口２ｄ４から空気が排出出来るように、第４排気部９７ｄが開状態にされる（図８参照）。
第４排気部９７ｄの開閉は電動で行われる。ただし、第４排気部９７ｄの開閉扉は、付勢により閉状態となるように付勢されていて、第４送風部９６ｄの風により開状態にされる形態であってもよい。
【０１９６】
（第２空気循環部９０ｂ）
第２空気循環部９０ｂの構成について説明する。
第２空気循環部９０ｂのうち、第５発電部９１ｅと第５制御部９３ｅと第５吸気部９５ｅと第５送風部９６ｅと第５排気部９７ｅは、第５筐体２ｅに設けられる。
第２空気循環部９０ｂのうち、第６発電部９１ｆと第６制御部９３ｆと第６吸気部９５ｆと第６送風部９６ｆと第６排気部９７ｆは、第６筐体２ｆに設けられる。
第２空気循環部９０ｂのうち、第７発電部９１ｇと第７制御部９３ｇと第７吸気部９５ｇと第７送風部９６ｇと第７排気部９７ｇは、第７筐体２ｇに設けられる。
第２空気循環部９０ｂのうち、第８発電部９１ｈと第８制御部９３ｈと第８吸気部９５ｈと第８送風部９６ｈと第８排気部９７ｈは、第８筐体２ｈに設けられる。
【０１９７】
後述するように、第５発電部９１ｅなど第２空気循環部９０ｂの電気機器は、第１負荷試験部〜第３負荷試験部とは、別系統であり、電気的な接続はされない。
【０１９８】
ただし、負荷試験装置１の第１負荷試験部〜第３負荷試験部の使用時に、第２空気循環部９０ｂの第５送風部９６ｅなどが動作しないように、第２操作部７２のオンオフスイッチのオンオフ状態に、第５送風部９６ｅなどのオンオフ状態が連動するように構成されてもよい。
具体的には、第２操作部７２のオンオフスイッチがオフ状態の時に、第５制御部９３ｅ〜第８制御部９３ｈ、第５吸気部９５ｅ〜第８吸気部９５ｄ、第５送風部９６ｅ〜第８送風部９６ｈ、第５排気部９７ｅ〜第８排気部９７ｈが動作可能な状態にされる。
また、第２操作部７２のオンオフスイッチがオン状態の時に、第５制御部９３ｅ〜第８制御部９３ｈ、第５吸気部９５ｅ〜第８吸気部９５ｈ、第５送風部９６ｅ〜第８送風部９６ｈ、第５排気部９７ｅ〜第４排気部９７ｈがオフ状態にされる。
第２操作部７２のオンオフスイッチのオンオフ状態の検知は、第５制御部９３ｅ〜第８制御部９３ｈに含まれるセンサーによる振動検知で行われる。例えば、第５制御部９３ｅによって、第１負荷試験部がオフ状態であると検知された時に、第５筐体２ｅの内部の情報などに基づいて、第５送風部９６ｅは動作する。
また、第２操作部７２のオンオフスイッチのオンオフ状態の検知は、第２操作部７２と第５制御部９３ｅなどとの間の電気的な接続で行われてもよい。
【０１９９】
（第５発電部９１ｅ）
第５発電部９１ｅは、太陽光などの光を電気に変換する発電装置である。
第５発電部９１ｅは、第５筐体２ｅの上面に設けられる。
第５発電部９１ｅは、発電により得られた電力を、第５制御部９３ｅ、第５吸気部９５ｅ、第５送風部９６ｅ、第５排気部９７ｅに供給する。
第５制御部９３ｅなどは、発電により得られた電力を蓄積するバッテリーなどの蓄電装置を有してもよい。
【０２００】
（第５制御部９３ｅ）
第５制御部９３ｅは、第５筐体２ｅの内部の情報（温度、湿度、埃の粒子量、特定のガスの濃度、振動など）を検知するセンサーを含む。
本実施形態では、第５制御部９３ｅで得られた情報に基づいて、第５吸気部９５ｅ、第５送風部９６ｅ、第５排気部９７ｅが動作する。具体的には、第５制御部９３ｅで得られた、第５筐体２ｅの内部の温度が温度閾値以上に高い場合、若しくは第５筐体２ｅの内部の湿度が湿度閾値以上に高い場合、若しくは第５筐体２ｅの内部の埃の粒子量が粒子量閾値以上に多い場合、若しくは第５筐体２ｅの内部の特定のガスの濃度がガス濃度閾値以上に高い場合に、第５吸気部９５ｅ、第５送風部９６ｅ、第５排気部９７ｅが動作する。
【０２０１】
（他の情報に基づいて動作）
なお、第５制御部９３ｅのセンサーで得られた情報に加えて、若しくは、第５制御部９３ｅのセンサーで得られた情報に代えて、他の情報に基づいて第５吸気部９５ｅ、第５送風部９６ｅ、第５排気部９７ｅが動作してもよい。
例えば、時間情報に基づいて、第５吸気部９５ｅ、第５送風部９６ｅ、第５排気部９７ｅが動作してもよい。この場合、第５制御部９３ｅには、バッテリーと時間情報を計測するタイマーが設けられる。また、所定の日時になった時、若しくは所定の時間間隔ごとに、第５制御部９３ｅは、第５吸気部９５ｅ、第５送風部９６ｅ、第５排気部９７ｅを動作させる。
また、第５筐体２ｅの周囲の情報（第２負荷試験領域１ｂの外部の温度、湿度、埃の粒子量、特定のガスの濃度など）に基づいて、第５吸気部９５ｅ、第５送風部９６ｅ、第５排気部９７ｅが動作してもよい。
【０２０２】
（通信部による情報発信）
また、第５制御部９３ｅが外部の装置に情報発信を行う通信部を含み、第５吸気部９５ｅ、第５送風部９６ｅ、第５排気部９７ｅが動作して、所定の時間が経過した後でも、温度情報が温度閾値以上に高い状態、若しくは湿度情報が湿度閾値以上に高い状態が続く場合は、当該通信部が警告情報を外部の装置に送信してもよい。
【０２０３】
（第５吸気部９５ｅ）
第５吸気部９５ｅは、第５筐体２ｅの背面の不使用時吸気用の開口（第５不使用時吸気開口２ｅ３）に設けられる。
第５吸気部９５ｅは、ガラリなどの開閉扉を含み、第５不使用時吸気開口２ｅ３の開閉を行う。
負荷試験を行う時、すなわち、第１負荷試験部の第２負荷試験領域１ｂにあるものの使用時、第５筐体２ｅの第５不使用時吸気開口２ｅ３から空気が流入出来ないように、第５吸気部９５ｅが閉状態にされる。
負荷試験を行わない時、すなわち、第１負荷試験部の第２負荷試験領域１ｂにあるものの不使用時、第５筐体２ｅの第５不使用時吸気開口２ｅ３から空気が流入出来るように、第５吸気部９５ｅが開状態にされる（図９参照）。
第５吸気部９５ｅの開閉は電動で行われる。ただし、第５吸気部９５ｅの開閉扉は、付勢により閉状態となるように付勢されていて、第５送風部９６ｅの風により開状態にされる形態であってもよい。
【０２０４】
（第５送風部９６ｅ）
第５送風部９６ｅは、ファンなど、風を排出する送風装置を含み、第５不使用時吸気開口２ｅ３を介して取り込んだ空気を、第５筐体２ｅの内部に送り込む。
第５送風部９６ｅによって送り込まれた空気は、第５筐体２ｅの内部を通り、第５不使用時排気開口２ｅ４から排出される（図９と図１０の太線矢印線参照）。
第５送風部９６ｅは、第５吸気部９５ｅの近傍に設けられるのが望ましいが、他の場所、例えば、第５排気部９７ｅの近傍に設けられてもよい。
【０２０５】
（第５排気部９７ｅ）
第５排気部９７ｅは、ガラリなどの開閉扉を含み、第５不使用時排気開口２ｅ４の開閉を行う。
負荷試験を行う時、すなわち、第１負荷試験部の第２負荷試験領域１ｂにあるものの使用時、第５筐体２ｅの第５不使用時排気開口２ｅ４から空気が排出出来ないように、第５排気部９７ｅが閉状態にされる。
負荷試験を行わない時、すなわち、第１負荷試験部の第２負荷試験領域１ｂにあるものの不使用時、第５筐体２ｅの第５不使用時排気開口２ｅ４から空気が排出出来るように、第５排気部９７ｅが開状態にされる（図１０参照）。
第５排気部９７ｅの開閉は電動で行われる。ただし、第５排気部９７ｅの開閉扉は、付勢により閉状態となるように付勢されていて、第５送風部９６ｅの風により開状態にされる形態であってもよい。
【０２０６】
（第６発電部９１ｆ）
第６発電部９１ｆは、太陽光などの光を電気に変換する発電装置である。
第６発電部９１ｆは、第６筐体２ｆの上面に設けられる。
第６発電部９１ｆは、発電により得られた電力を、第６制御部９３ｆ、第６吸気部９５ｆ、第６送風部９６ｆ、第６排気部９７ｆに供給する。
第６制御部９３ｆなどは、発電により得られた電力を蓄積するバッテリーなどの蓄電装置を有してもよい。
【０２０７】
（第６制御部９３ｆ）
第６制御部９３ｆは、第６筐体２ｆの内部の情報（温度、湿度、埃の粒子量、特定のガスの濃度、振動など）を検知するセンサーを含む。
本実施形態では、第６制御部９３ｆで得られた情報に基づいて、第６吸気部９５ｆ、第６送風部９６ｆ、第６排気部９７ｆが動作する。具体的には、第６制御部９３ｆで得られた、第６筐体２ｆの内部の温度が温度閾値以上に高い場合、若しくは第６筐体２ｆの内部の湿度が湿度閾値以上に高い場合、若しくは第６筐体２ｆの内部の埃の粒子量が粒子量閾値以上に多い場合、若しくは第６筐体２ｆの内部の特定のガスの濃度がガス濃度閾値以上に高い場合に、第６吸気部９５ｆ、第６送風部９６ｆ、第６排気部９７ｆが動作する。
【０２０８】
（他の情報に基づいて動作）
なお、第６制御部９３ｆのセンサーで得られた情報に加えて、若しくは、第６制御部９３ｆのセンサーで得られた情報に代えて、他の情報に基づいて第６吸気部９５ｆ、第６送風部９６ｆ、第６排気部９７ｆが動作してもよい。
例えば、時間情報に基づいて、第６吸気部９５ｆ、第６送風部９６ｆ、第６排気部９７ｆが動作してもよい。この場合、第６制御部９３ｆには、バッテリーと時間情報を計測するタイマーが設けられる。また、所定の日時になった時、若しくは所定の時間間隔ごとに、第６制御部９３ｆは、第６吸気部９５ｆ、第６送風部９６ｆ、第６排気部９７ｆを動作させる。
また、第６筐体２ｆの周囲の情報（第２負荷試験領域１ｂの外部の温度、湿度、埃の粒子量、特定のガスの濃度など）に基づいて、第６吸気部９５ｆ、第６送風部９６ｆ、第６排気部９７ｆが動作してもよい。
【０２０９】
（通信部による情報発信）
また、第６制御部９３ｆが外部の装置に情報発信を行う通信部を含み、第６吸気部９５ｆ、第６送風部９６ｆ、第６排気部９７ｆが動作して、所定の時間が経過した後でも、温度情報が温度閾値以上に高い状態、若しくは湿度情報が湿度閾値以上に高い状態が続く場合は、当該通信部が警告情報を外部の装置に送信してもよい。
【０２１０】
（第６吸気部９５ｆ）
第６吸気部９５ｆは、第６筐体２ｆの背面の不使用時吸気用の開口（第６不使用時吸気開口２ｆ３）に設けられる。
第６吸気部９５ｆは、ガラリなどの開閉扉を含み、第６不使用時吸気開口２ｆ３の開閉を行う。
負荷試験を行う時、すなわち、第２負荷試験部の第２負荷試験領域１ｂにあるものの使用時、第６筐体２ｆの第６不使用時吸気開口２ｆ３から空気が流入出来ないように、第６吸気部９５ｆが閉状態にされる。
負荷試験を行わない時、すなわち、第２負荷試験部の第２負荷試験領域１ｂにあるものの不使用時、第６筐体２ｆの第６不使用時吸気開口２ｆ３から空気が流入出来るように、第６吸気部９５ｆが開状態にされる（図９参照）。
第６吸気部９５ｆの開閉は電動で行われる。ただし、第６吸気部９５ｆの開閉扉は、付勢により閉状態となるように付勢されていて、第６送風部９６ｆの風により開状態にされる形態であってもよい。
【０２１１】
（第６送風部９６ｆ）
第６送風部９６ｆは、ファンなど、風を排出する送風装置を含み、第６不使用時吸気開口２ｆ３を介して取り込んだ空気を、第６筐体２ｆの内部に送り込む。
第６送風部９６ｆによって送り込まれた空気は、第６筐体２ｆの内部を通り、第６不使用時排気開口２ｆ４から排出される（図９と図１０の太線矢印線参照）。
第６送風部９６ｆは、第６吸気部９５ｆの近傍に設けられるのが望ましいが、他の場所、例えば、第６排気部９７ｆの近傍に設けられてもよい。
【０２１２】
（第６排気部９７ｆ）
第６排気部９７ｆは、ガラリなどの開閉扉を含み、第６不使用時排気開口２ｆ４の開閉を行う。
負荷試験を行う時、すなわち、第２負荷試験部の第２負荷試験領域１ｂにあるものの使用時、第６筐体２ｆの第６不使用時排気開口２ｆ４から空気が排出出来ないように、第６排気部９７ｆが閉状態にされる。
負荷試験を行わない時、すなわち、第２負荷試験部の第２負荷試験領域１ｂにあるものの不使用時、第６筐体２ｆの第６不使用時排気開口２ｆ４から空気が排出出来るように、第６排気部９７ｆが開状態にされる（図１０参照）。
第６排気部９７ｆの開閉は電動で行われる。ただし、第６排気部９７ｆの開閉扉は、付勢により閉状態となるように付勢されていて、第６送風部９６ｆの風により開状態にされる形態であってもよい。
【０２１３】
（第７発電部９１ｇ）
第７発電部９１ｇは、太陽光などの光を電気に変換する発電装置である。
第７発電部９１ｇは、第７筐体２ｇの上面に設けられる。
第７発電部９１ｇは、発電により得られた電力を、第７制御部９３ｇ、第７吸気部９５ｇ、第７送風部９６ｇ、第７排気部９７ｇに供給する。
第７制御部９３ｇなどは、発電により得られた電力を蓄積するバッテリーなどの蓄電装置を有してもよい。
【０２１４】
（第７制御部９３ｇ）
第７制御部９３ｇは、第７筐体２ｇの内部の情報（温度、湿度、埃の粒子量、特定のガスの濃度、振動など）を検知するセンサーを含む。
本実施形態では、第７制御部９３ｇで得られた情報に基づいて、第７吸気部９５ｇ、第７送風部９６ｇ、第７排気部９７ｇが動作する。具体的には、第７制御部９３ｇで得られた、第７筐体２ｇの内部の温度が温度閾値以上に高い場合、若しくは第７筐体２ｇの内部の湿度が湿度閾値以上に高い場合、若しくは第７筐体２ｇの内部の埃の粒子量が粒子量閾値以上に多い場合、若しくは第７筐体２ｇの内部の特定のガスの濃度がガス濃度閾値以上に高い場合に、第７吸気部９５ｇ、第７送風部９６ｇ、第７排気部９７ｇが動作する。
【０２１５】
（他の情報に基づいて動作）
なお、第７制御部９３ｇのセンサーで得られた情報に加えて、若しくは、第７制御部９３ｇのセンサーで得られた情報に代えて、他の情報に基づいて第７吸気部９５ｇ、第７送風部９６ｇ、第７排気部９７ｇが動作してもよい。
例えば、時間情報に基づいて、第７吸気部９５ｇ、第７送風部９６ｇ、第７排気部９７ｇが動作してもよい。この場合、第７制御部９３ｇには、バッテリーと時間情報を計測するタイマーが設けられる。また、所定の日時になった時、若しくは所定の時間間隔ごとに、第７制御部９３ｇは、第７吸気部９５ｇ、第７送風部９６ｇ、第７排気部９７ｇを動作させる。
また、第７筐体２ｇの周囲の情報（第２負荷試験領域１ｂの外部の温度、湿度、埃の粒子量、特定のガスの濃度など）に基づいて、第７吸気部９５ｇ、第７送風部９６ｇ、第７排気部９７ｇが動作してもよい。
【０２１６】
（通信部による情報発信）
また、第７制御部９３ｇが外部の装置に情報発信を行う通信部を含み、第７吸気部９５ｇ、第７送風部９６ｇ、第７排気部９７ｇが動作して、所定の時間が経過した後でも、温度情報が温度閾値以上に高い状態、若しくは湿度情報が湿度閾値以上に高い状態が続く場合は、当該通信部が警告情報を外部の装置に送信してもよい。
【０２１７】
（第７吸気部９５ｇ）
第７吸気部９５ｇは、第７筐体２ｇの背面の不使用時吸気用の開口（第７不使用時吸気開口２ｇ３）に設けられる。
第７吸気部９５ｇは、ガラリなどの開閉扉を含み、第７不使用時吸気開口２ｇ３の開閉を行う。
負荷試験を行う時、すなわち、第３負荷試験部の第２負荷試験領域１ｂにあるものの使用時、第７筐体２ｇの第７不使用時吸気開口２ｇ３から空気が流入出来ないように、第７吸気部９５ｇが閉状態にされる。
負荷試験を行わない時、すなわち、第３負荷試験部の第２負荷試験領域１ｂにあるものの不使用時、第７筐体２ｇの第７不使用時吸気開口２ｇ３から空気が流入出来るように、第７吸気部９５ｇが開状態にされる（図９参照）。
第７吸気部９５ｇの開閉は電動で行われる。ただし、第７吸気部９５ｇの開閉扉は、付勢により閉状態となるように付勢されていて、第７送風部９６ｇの風により開状態にされる形態であってもよい。
【０２１８】
（第７送風部９６ｇ）
第７送風部９６ｇは、ファンなど、風を排出する送風装置を含み、第７不使用時吸気開口２ｇ３を介して取り込んだ空気を、第７筐体２ｇの内部に送り込む。
第７送風部９６ｇによって送り込まれた空気は、第７筐体２ｇの内部を通り、第７不使用時排気開口２ｇ４から排出される（図９と図１０の太線矢印線参照）。
第７送風部９６ｇは、第７吸気部９５ｇの近傍に設けられるのが望ましいが、他の場所、例えば、第７排気部９７ｇの近傍に設けられてもよい。
【０２１９】
（第７排気部９７ｇ）
第７排気部９７ｇは、ガラリなどの開閉扉を含み、第７不使用時排気開口２ｇ４の開閉を行う。
負荷試験を行う時、すなわち、第３負荷試験部の第２負荷試験領域１ｂにあるものの使用時、第７筐体２ｇの第７不使用時排気開口２ｇ４から空気が排出出来ないように、第７排気部９７ｇが閉状態にされる。
負荷試験を行わない時、すなわち、第３負荷試験部の第２負荷試験領域１ｂにあるものの不使用時、第７筐体２ｇの第７不使用時排気開口２ｇ４から空気が排出出来るように、第７排気部９７ｇが開状態にされる（図１０参照）。
第７排気部９７ｇの開閉は電動で行われる。ただし、第７排気部９７ｇの開閉扉は、付勢により閉状態となるように付勢されていて、第７送風部９６ｇの風により開状態にされる形態であってもよい。
【０２２０】
（第８発電部９１ｈ）
第８発電部９１ｈは、太陽光などの光を電気に変換する発電装置である。
第８発電部９１ｈは、第８筐体２ｈの上面に設けられる。
第８発電部９１ｈは、発電により得られた電力を、第８制御部９３ｈ、第８吸気部９５ｈ、第８送風部９６ｈ、第８排気部９７ｈに供給する。
第８制御部９３ｈなどは、発電により得られた電力を蓄積するバッテリーなどの蓄電装置を有してもよい。
【０２２１】
（第８制御部９３ｈ）
第８制御部９３ｈは、第８筐体２ｈの内部の情報（温度、湿度、埃の粒子量、特定のガスの濃度、振動など）を検知するセンサーを含む。
本実施形態では、第８制御部９３ｈで得られた情報に基づいて、第８吸気部９５ｈ、第８送風部９６ｈ、第８排気部９７ｈが動作する。具体的には、第８制御部９３ｈで得られた、第８筐体２ｈの内部の温度が温度閾値以上に高い場合、若しくは第８筐体２ｈの内部の湿度が湿度閾値以上に高い場合、若しくは第８筐体２ｈの内部の埃の粒子量が粒子量閾値以上に多い場合、若しくは第８筐体２ｈの内部の特定のガスの濃度がガス濃度閾値以上に高い場合に、第８吸気部９５ｈ、第８送風部９６ｈ、第８排気部９７ｈが動作する。
【０２２２】
（他の情報に基づいて動作）
なお、第８制御部９３ｈのセンサーで得られた情報に加えて、若しくは、第８制御部９３ｈのセンサーで得られた情報に代えて、他の情報に基づいて第８吸気部９５ｈ、第８送風部９６ｈ、第８排気部９７ｈが動作してもよい。
例えば、時間情報に基づいて、第８吸気部９５ｈ、第８送風部９６ｈ、第８排気部９７ｈが動作してもよい。この場合、第８制御部９３ｈには、バッテリーと時間情報を計測するタイマーが設けられる。また、所定の日時になった時、若しくは所定の時間間隔ごとに、第８制御部９３ｈは、第８吸気部９５ｈ、第８送風部９６ｈ、第８排気部９７ｈを動作させる。
また、第８筐体２ｈの周囲の情報（第２負荷試験領域１ｂの外部の温度、湿度、埃の粒子量、特定のガスの濃度など）に基づいて、第８吸気部９５ｈ、第８送風部９６ｈ、第８排気部９７ｈが動作してもよい。
【０２２３】
（通信部による情報発信）
また、第８制御部９３ｈが外部の装置に情報発信を行う通信部を含み、第８吸気部９５ｈ、第８送風部９６ｈ、第８排気部９７ｈが動作して、所定の時間が経過した後でも、温度情報が温度閾値以上に高い状態、若しくは湿度情報が湿度閾値以上に高い状態が続く場合は、当該通信部が警告情報を外部の装置に送信してもよい。
【０２２４】
（第８吸気部９５ｈ）
第８吸気部９５ｈは、第８筐体２ｈの背面の不使用時吸気用の開口（第８不使用時吸気開口２ｈ３）に設けられる。
第８吸気部９５ｈは、ガラリなどの開閉扉を含み、第８不使用時吸気開口２ｈ３の開閉を行う。
負荷試験を行う時、すなわち、第１負荷試験部〜第３負荷試験部の第２負荷試験領域１ｂにあるものの少なくとも１つの使用時、第８筐体２ｈの第８不使用時吸気開口２ｈ３から空気が流入出来ないように、第８吸気部９５ｈが閉状態にされる。
負荷試験を行わない時、すなわち、第１負荷試験部〜第３負荷試験部の第２負荷試験領域１ｂにあるものの不使用時、第８筐体２ｈの第８不使用時吸気開口２ｈ３から空気が流入出来るように、第８吸気部９５ｈが開状態にされる（図９参照）。
第８吸気部９５ｈの開閉は電動で行われる。ただし、第８吸気部９５ｈの開閉扉は、付勢により閉状態となるように付勢されていて、第８送風部９６ｈの風により開状態にされる形態であってもよい。
【０２２５】
（第８送風部９６ｈ）
第８送風部９６ｈは、ファンなど、風を排出する送風装置を含み、第８不使用時吸気開口２ｈ３を介して取り込んだ空気を、第７筐体２ｈの内部に送り込む。
第８送風部９６ｈによって送り込まれた空気は、第８筐体２ｈの内部を通り、第８不使用時排気開口２ｈ４から排出される（図９と図１０の太線矢印線参照）。
第８送風部９６ｈは、第８吸気部９５ｈの近傍に設けられるのが望ましいが、他の場所、例えば、第８排気部９７ｈの近傍に設けられてもよい。
【０２２６】
（第８排気部９７ｈ）
第８排気部９７ｈは、ガラリなどの開閉扉を含み、第８不使用時排気開口２ｈ４の開閉を行う。
負荷試験を行う時、すなわち、第１負荷試験部〜第３負荷試験部の第２負荷試験領域１ｂにあるものの少なくとも１つの使用時、第８筐体２ｈの第８不使用時排気開口２ｈ４から空気が排出出来ないように、第８排気部９７ｈが閉状態にされる。
負荷試験を行わない時、すなわち、第１負荷試験部〜第３負荷試験部の第２負荷試験領域１ｂにあるものの不使用時、第８筐体２ｈの第８不使用時排気開口２ｈ４から空気が排出出来るように、第８排気部９７ｈが開状態にされる（図１０参照）。
第８排気部９７ｈの開閉は電動で行われる。ただし、第８排気部９７ｈの開閉扉は、付勢により閉状態となるように付勢されていて、第８送風部９６ｈの風により開状態にされる形態であってもよい。
【０２２７】
（接続形式が切り替え可能な状態で、複数のコイル（第１１コイル６１ａ１など）が接続されることの効果）
接続形式を直列と並列で切り替えることにより、複数のコイル（第１１コイル６１ａ１など）の合成インダクタンスを変えることができ、高圧の発電機、低圧の発電機など、様々な試験対象電源に対応して、力率の調整が容易に行える負荷試験装置１を実現することが可能になる。
【０２２８】
（鉄心などで、コイルが保持されることの効果）
コイル（第１１コイル６１ａ１など）を鉄心（第１鉄心６１ａ４など）が保持し、碍子７を介して、鉄心若しくは接続棒６２を、第２負荷試験領域１ｂの筐体（第５筐体２ｅなど）が保持する。これにより、電気的な絶縁を維持した状態で安定的にコイルを保持することが可能になる。
【０２２９】
（隣接するコイルの端子を対向させることの効果）
コイル（第１１コイル６１ａ１など）の周囲のスペースに効率良く、スイッチング装置を配置しやすくなる。
【０２３０】
（第１負荷試験領域１ａと第２負荷試験領域１ｂが別体で構成されることの効果）
力率の調整が不要な場合は、第２負荷試験領域１ｂを用いずに、第１負荷試験領域１ａだけを用いて負荷試験を行うことができる。また、第１負荷試験領域１ａに相当する既存の負荷試験装置に、第２負荷試験領域１ｂを加えることで、様々な試験対象電源に対応して、力率の調整が容易に行える負荷試験装置１を実現することが可能になる。
【０２３１】
（制御信号線を設けることの効果）
第１負荷試験領域１ａの操作部（第１操作部７１）で設定された内容（試験対象電源の種類など）に基づいて、第２負荷試験領域１ｂのコイルの接続形式などを制御することが可能になる。
【０２３２】
（第１空気循環部９０ａ、第２空気循環部９０ｂを設けたことの効果）
負荷試験部（第１負荷試験部〜第３負荷試験部）などの不使用時は、第１負荷試験領域１ａの筐体（第１筐体２ａなど）及び第２負荷試験領域１ｂの筐体（第５筐体２ｅなど）がほぼ密閉された状態で維持される。このため、筐体の内部の温度や湿度が上昇し、内部の機器を劣化させるおそれがある。また、内部の機器に埃が付着するおそれがある。
負荷試験部などの不使用時に、空気循環部（第１空気循環部９０ａ、第２空気循環部９０ｂ）を使って、筐体の外部から空気を取り入れて、排出させる。すなわち、筐体の内部の換気を行うことが可能になる。これにより、筐体の内部の温度及び湿度をほぼ一定に保つことが可能になる。そして、筐体の内部の機器の劣化を抑制したり、埃の付着を抑制したりすることが可能になる。
また、送風部（第１送風部９６ａなど）が、空気循環部の発電部（第１発電部９１ａなど）で得られた電力で駆動する。このため、負荷試験部などの不使用時で、負荷試験部などに電力が供給されない状態であっても、空気循環部を動作させることが出来る。
【０２３３】
（不使用時吸気用開口、不使用時排気開口が小さいことの効果）
既存の負荷試験部の筐体に吸気用及び排気用の小さい開口（第１不使用時吸気開口２ａ３など）を設け、空気循環部（第１空気循環部９０ａ、第２空気循環部９０ｂ）を付加するだけで、不使用時に換気が可能な負荷試験装置１を実現することが可能になる。
【０２３４】
（第１空気循環部９０ａ、第２空気循環ぶ９０ｂが負荷試験部などと電気的に接続しないことの効果）
第１空気循環部９０ａは、筐体（第１筐体２ａなど）内部の負荷試験部などと電気的な接続を行わず、第１空気循環部９０ａの発電部（第１発電部９１ａなど）で得られた電力で、第１空気循環部９０ａの他の機器（第１制御部９３ａなど）を駆動する。このため、第１空気循環部９０ａに不具合が生じても、負荷試験部を使った負荷試験などに悪影響を及ぼしにくい。また、既存の負荷試験部に、容易に第１空気循環部９０ａを付加することが可能になる。
第２空気循環部９０ｂは、筐体（第５筐体２ｅなど）内部の負荷試験部などと電気的な接続を行わず、第２空気循環部９０ｂの発電部（第５発電部９１ｅなど）で得られた電力で、第２空気循環部９０ｂの他の機器（第５制御部９３ｅなど）を駆動する。このため、第２空気循環部９０ｂに不具合が生じても、負荷試験部を使った負荷試験などに悪影響を及ぼしにくい。また、既存の負荷試験部に、容易に第２空気循環部９０ｂを付加することが可能になる。
【０２３５】
（不使用時排気開口を不使用時吸気開口よりも高い位置に設けたことの効果）
筐体（第１筐体２ａなど）の外部から取り入れた空気を高い位置に送り込むので、埃などの異物が筐体の底などに残らず、筐体の外部に排出されやすくなる。
【０２３６】
（蓋と発電部を共用することの効果）
負荷試験部の排気用の開口を閉じる蓋（第１排気蓋３３ａなど）がある領域を使って、効果的に太陽光発電を行うことが可能になる。
【０２３７】
（通信部の共用）
なお、通信部は、第１制御部９３ａ〜第８制御部９３ｈのそれぞれに設けられる形態に限らず、第１制御部９３ａ〜第８制御部９３ｈのいずれかに設けられた通信部を他の制御部の通信部として共用する形態であってもよい。
【０２３８】
（リアクトル側リレー部８２のオンオフ制御の応用例）
なお、本実施形態では、第１操作部７１の操作状態に連動して、リアクトル側リレー部８２のリレーのオンオフ制御が行われる例を説明した。
しかしながら、第２操作部７２にリアクトル側リレー部８２のリレーのオンオフ制御を行うためのスイッチを設け、第１操作部７１の操作状態とは連動せずに独立して、リアクトル側リレー部８２のリレーのオンオフ制御が行われてもよい（図１７、図１８参照）。
図１７は、抵抗器群（第１１抵抗器群３１ａ１など）が並列に接続され、且つ全ての抵抗器群に電力供給が行われ、コイルグループ（第１１コイル６１ａ１など）が並列に接続され、且つ一部のコイルに電力供給が行われる例を示す。
図１８は、抵抗器群（第１１抵抗器群３１ａ１など）が並列に接続され、且つ全ての抵抗器群に電力供給が行われ、コイルグループ（第１１コイル６１ａ１など）が直列に接続され、且つ一部のコイルに電力供給が行われる例を示す。
なお、リアクトル側リレー部８２のリレーのオンオフ制御を行うためのスイッチは、第２操作部７２に設けられてもよいが、第１操作部７１に設けられてもよい。
【０２３９】
（抵抗器群の数、コイルグループの数の応用例）
本実施形態では、１つの抵抗器群セットに３つの抵抗器群が設けられ、１つのコイルグループに３つのコイルが設けられる例を説明した。しかしながら、１つの抵抗器群セットに含まれる抵抗器群の数は、３つに限られるものではないし、１つのコイルグループに含まれるコイルの数は、３つに限られるものではない。また、１つの抵抗器群セットに含まれる抵抗器群の数が、１つのコイルグループに含まれるコイルの数と異なるものであってもよい。
【０２４０】
本実施形態では、７つのリレー（例えば、第１１リレー〜第１７リレーＲ１１〜Ｒ１７）を使って、３つの抵抗器群（若しくは３つのコイル）の接続形式、電力供給対象の切り替えが行われる例を説明した。しかしながら、接続形式などの切り替えを行うためのリレーの数、接続方法は、これに限るものではない。
【０２４１】
（隔壁を有さない形態）
本実施形態では、第１筐体２ａ〜第８筐体２ｈのぞれぞれに、制御部と吸気部と送風部と排気部のセットが設けられる形態を説明した。
しかしながら、第１筐体２ａ〜第４筐体２ｄの境界領域に隔壁が設けられていない場合、制御部、吸気部、送風部、排気部が、１つだけ設けられてもよい。
また、第５筐体２ｅ〜第８筐体２ｈの境界領域に隔壁が設けられていない場合、制御部、吸気部、送風部、排気部が、１つだけ設けられてもよい。
この場合、筐体内部の多くの領域に吸気部を介して取り込まれた空気が通るように、排気部と吸気部とが筐体の離れた位置に設けられるのが望ましい。例えば、排気部と吸気部の一方が第５筐体２ｅに設けられ、排気部と吸気部の他方が第８筐体２ｈに設けられる（図１９参照）。
なお、この場合でも、発電部は１つだけでなく、２つ以上設けられてもよい。
図１９は、第５筐体２ｅの背面に１つの吸気部（第５吸気部９５ｅ）が設けられ、第８筐体２ｈの前面に１つの排気部（第８排気部９５ｈ、不図示）が設けられ、第５筐体２ｅ〜第８筐体２ｈの上面に４つの発電部（第５発電部９１ｅ〜第８発電部９１ｈ）が設けられた例を示す。
【０２４２】
（不使用時吸気開口の応用例）
本実施形態では、第１不使用時吸気開口２ａ３が、第１側面開口２ａ２と別に設けられる形態を説明した。しかしながら、第１側面開口２ａ２の一部が第１不使用時吸気開口２ａ３として機能してもよいし、第１側面開口２ａ２の全部が第１不使用時吸気開口２ａ３として機能してもよい。
この場合、第１吸気蓋５１ａの一部又は全部が第１吸気部９５ａとして機能する。
同様に、第２側面開口２ｂ２の一部又は全部が第２不使用時吸気開口２ｂ３として機能してもよい。
また、第３側面開口２ｃ２の一部又は全部が第３不使用時吸気開口２ｃ３として機能してもよい。
【０２４３】
（冷却部５０と抵抗部３０の配列方向の応用例）
本実施形態では、冷却部５０が抵抗部３０のｚ方向に並べられる形態を説明した。しかしながら、冷却部５０と抵抗部３０が水平方向に並べられてもよい。
【０２４４】
（試験対象電源の応用例）
本実施形態では、試験対象電源が三相交流発電機である例を説明したが、試験対象電源が単相交流発電機であってもよい。
【０２４５】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態及びその変形は、発明の範囲及び要旨に含まれると同様に、特許請求の範囲に記載された発明とその均等の範囲に含まれるものである。
【符号の説明】
【０２４６】
１  負荷試験装置
１ａ  第１負荷試験領域
１ｂ  第２負荷試験領域
２ａ〜２ｈ  第１筐体〜第８筐体
２ａ１  第１上面開口
２ａ２  第１側面開口
２ａ３  第１不使用時吸気開口
２ａ４  第１不使用時排気開口
２ｂ１  第２上面開口
２ｂ２  第２側面開口
２ｂ３  第２不使用時吸気開口
２ｂ４  第２不使用時排気開口
２ｃ１  第３上面開口
２ｃ２  第３側面開口
２ｃ３  第３不使用時吸気開口
２ｃ４  第３不使用時排気開口
２ｄ３  第４不使用時吸気開口
２ｄ４  第４不使用時排気開口
２ｄ１  第１の扉
２ｅ３  第５不使用時吸気開口
２ｅ４  第５不使用時排気開口
２ｆ３  第６不使用時吸気開口
２ｆ４  第６不使用時排気開口
２ｇ３  第７不使用時吸気開口
２ｇ４  第７不使用時排気開口
２ｈ３  第８不使用時吸気開口
２ｈ４  第８不使用時排気開口
２ｈ１  第２の扉
３  接続部材
４  制御線
５  制御信号線
７  碍子
３０  抵抗部
３０ａ〜３０ｃ  第1抵抗部〜第３抵抗部
３１ａ〜３１ｃ  第１抵抗器群セット〜第３抵抗器群セット
３１ａ１〜３１ａ３  第１１抵抗器群〜第１３抵抗器群
３１ｂ１〜３１ｂ３  第２１抵抗器群〜第２３抵抗器群
３１ｃ１〜３１ｃ３  第３１抵抗器群〜第３３抵抗器群
３３ａ〜３３ｃ  第１排気蓋〜第３排気蓋
５０  冷却部
５０ａ〜５０ｃ  第１冷却部〜第３冷却部
５１ａ〜５１ｃ  第１吸気蓋〜第３吸気蓋
５３ａ〜５３ｃ  第１冷却装置〜第３冷却装置
６０  リアクトル部
６０ａ〜６０ｃ  第１リアクトル〜第３リアクトル
６１ａ〜６１ｃ  第１コイルグループ〜第３コイルグループ
６１ａ１〜６１ａ３  第１１コイル〜第１３コイル
６１ａ４  第１鉄心
６１ｂ１〜６１ｂ３  第２１コイル〜第２３コイル
６１ｂ４  第２鉄心
６１ｃ１〜６１ｃ３  第３１コイル〜第３３コイル
６１ｃ４  第３鉄心
６２  接続棒
７０ａ、７０ｂ  第１負荷試験制御部、第２負荷試験制御部
７１、７２  第１操作部、第２操作部
７３、７４  第１電源端子部、第２電源端子部
７５、７６  第１制御端子部、第２制御端子部
７７、７８  第１電力供給制御部、第２電力供給制御部
８１  抵抗部側リレー部
８１ａ〜８１ｃ  第１抵抗部側リレー部〜第３抵抗部側リレー部
８２  リアクトル側リレー部
８２ａ〜８２ｃ  第１リアクトル側リレー部〜第３リアクトル側リレー部
９０ａ、９０ｂ  第１空気循環部、第２空気循環部
９１ａ〜９１ｈ  第１発電部〜第８発電部
９３ａ〜９３ｈ  第１制御部〜第８制御部
９５ａ〜９５ｈ  第１吸気部〜第８吸気部
９６ａ〜９６ｈ  第１送風部〜第８送風部
９７ａ〜９７ｈ  第１排気部〜第８排気部
１００  試験対象電源
２００  負荷試験装置駆動用電源
ｃ１  第１中性点
ｃ２  第２中性点
Ｒ１１〜Ｒ１７  第１１リレー〜第１７リレー
Ｒ２１〜Ｒ２７  第２１リレー〜第２７リレー
Ｒ３１〜Ｒ３７  第３１リレー〜第３７リレー
Ｒ４１〜Ｒ４７  第４１リレー〜第４７リレー
Ｒ５１〜Ｒ５７  第５１リレー〜第５７リレー
Ｒ６１〜Ｒ６７  第６１リレー〜第６７リレー
Ｕ１〜Ｕ３  第１Ｕ相端子〜第３Ｕ相端子
Ｖ１〜Ｖ３  第１Ｖ相端子〜第３Ｖ相端子
Ｗ１〜Ｗ３  第１Ｗ相端子〜第３Ｗ相端子
【要約】
複数種類の試験対象電源に対応して、力率の調整が容易に行える負荷試験装置を提供する。
負荷試験装置１は、１以上の抵抗器を含む抵抗器群を複数設けた抵抗器群セットを１以上有し、試験対象電源１００からの電力供給を受ける、第１負荷試験領域１ａと、複数のコイルを含むコイルグループを１以上有し、試験対象電源１００からの電力供給を受ける、第２負荷試験領域１ｂとを備える。直列での接続と並列での接続が切り替え可能な状態で、複数のコイルが接続される。【図１】
0006906269.tif 000002
【図２】
0006906269.tif 000003
【図３】
0006906269.tif 000004
【図４】
0006906269.tif 000005
【図５】
0006906269.tif 000006
【図６】
0006906269.tif 000007
【図７】
0006906269.tif 000008
【図８】
0006906269.tif 000009
【図９】
0006906269.tif 000010
【図１０】
0006906269.tif 000011
【図１１】
0006906269.tif 000012
【図１２】
0006906269.tif 000013
【図１３】
0006906269.tif 000014
【図１４】
0006906269.tif 000015
【図１５】
0006906269.tif 000016
【図１６】
0006906269.tif 000017
【図１７】
0006906269.tif 000018
【図１８】
0006906269.tif 000019
【図１９】
0006906269.tif 000020